(57)【要約】【課題】車両の走行安定性を向上する。【解決手段】  車両は、車体と、車体を傾斜させる傾斜機構と、操作入力部と、傾斜制御部と、左右に回動可能な１以上の回動輪を支持する回動輪支持部と、を備える。回動輪支持部は、１以上の回動輪を回転可能に支持する支持部材と、支持部材を左右に回動させるトルクを支持部材に印加する回動駆動装置と、回動駆動装置のトルクを、車体の傾斜の大きさに関連する傾斜パラメータと操作入力部の操作量との少なくとも一方と、車速とを用いて制御する回動制御部と、を含む。車速が基準速度を超える特定範囲内である場合、回動制御部は、回動駆動装置のトルクの最大の大きさを、１以上の回動輪が車体の傾斜の変化に追随して左右に回動することを許容するトルクの特定の大きさに設定する。車速が前記基準速度以下である場合、回動制御部は、回動駆動装置のトルクの最大の大きさを、車速が速いほど小さい大きさに設定する。【選択図】  図１
2019081475.tif 000002
【特許請求の範囲】
【請求項１】
車両であって、
前記車両の幅方向に互いに離れて配置された一対の車輪と、１個以上の他の車輪と、を含むＮ個（Ｎは３以上の整数）の車輪であって、前記一対の車輪と他の車輪との少なくとも一方が前記車両の前進方向に対して左右に回動可能な１以上の回動輪として構成されるとともに、１個以上の前輪と１個以上の後輪とを含む、Ｎ個の車輪と、
車体と、
前記車体を前記幅方向に傾斜させる傾斜機構と、
操作することで旋回方向と旋回の程度とを示す操作量が入力される操作入力部と、
前記操作入力部へ入力される前記操作量を用いて前記傾斜機構を制御する傾斜制御部と、
前記１以上の回動輪を支持する回動輪支持部と、
を備え、
前記回動輪支持部は、
前記１以上の回動輪を、回転可能に支持する支持部材と、
前記支持部材を、前記車体に対して左右に回動可能に支持する回動装置と、
前記支持部材を左右に回動させるトルクを、前記支持部材に印加する回動駆動装置と、
前記回動駆動装置のトルクを、前記車体の傾斜の大きさに関連する傾斜パラメータと前記操作量との少なくとも一方と、車速とを用いて制御する回動制御部と、
を備え、
前記回動制御部は、
前記車速が基準速度を超える特定範囲内である場合には、前記回動駆動装置のトルクの最大の大きさを、前記１以上の回動輪が前記操作量に拘わらず前記車体の傾斜の変化に追随して前記車体に対して左右に回動することを許容するトルクの特定の大きさに設定し、
前記車速が前記基準速度以下である場合には、
前記回動駆動装置のトルクの最大の大きさを、前記車速が速いほど小さい大きさに設定し、
前記回動駆動装置のトルクを、前記最大の大きさ以下の大きさのトルクであって、前記１以上の回動輪の方向を、前記操作量を用いて特定される目標の方向に近づけるトルクに設定する、
車両。
【請求項２】
請求項１に記載の車両であって、
前記回動制御部は、前記車速が前記基準速度以下である場合には、前記車速が前記基準速度に達した場合に前記最大の大きさが前記特定の大きさになるように、前記最大の大きさを、前記車速が速いほど小さい大きさに設定する、
車両。
【請求項３】
請求項１または２に記載の車両であって、
前記特定の大きさは、ゼロである、車両。
【発明の詳細な説明】
【技術分野】
【０００１】
本明細書は、車体を傾斜させて旋回する車両に関する。
【背景技術】
【０００２】
旋回時に車体を傾斜させる車両が提案されている。例えば、前輪が自由にキャスター動作するように構成され、そして、運転者が制御デバイスを動かす方向によって示される方向に車体を傾斜させる技術が提案されている。
【先行技術文献】
【特許文献】
【０００３】
【特許文献１】国際公開第２０１１／０８３３３５号
【発明の概要】
【発明が解決しようとする課題】
【０００４】
ところが、車両の走行安定性が低下する場合があった。例えば、車速が変化する場合に、左右に回動可能な車輪の方向が、不安定になる場合があった。
【０００５】
本明細書は、車両の走行安定性を向上できる技術を開示する。
【課題を解決するための手段】
【０００６】
本明細書は、例えば、以下の適用例を開示する。
【０００７】
［適用例１］
車両であって、
前記車両の幅方向に互いに離れて配置された一対の車輪と、１個以上の他の車輪と、を含むＮ個（Ｎは３以上の整数）の車輪であって、前記一対の車輪と他の車輪との少なくとも一方が前記車両の前進方向に対して左右に回動可能な１以上の回動輪として構成されるとともに、１個以上の前輪と１個以上の後輪とを含む、Ｎ個の車輪と、
車体と、
前記車体を前記幅方向に傾斜させる傾斜機構と、
操作することで旋回方向と旋回の程度とを示す操作量が入力される操作入力部と、
前記操作入力部へ入力される前記操作量を用いて前記傾斜機構を制御する傾斜制御部と、
前記１以上の回動輪を支持する回動輪支持部と、
を備え、
前記回動輪支持部は、
前記１以上の回動輪を、回転可能に支持する支持部材と、
前記支持部材を、前記車体に対して左右に回動可能に支持する回動装置と、
前記支持部材を左右に回動させるトルクを、前記支持部材に印加する回動駆動装置と、
前記回動駆動装置のトルクを、前記車体の傾斜の大きさに関連する傾斜パラメータと前記操作量との少なくとも一方と、車速とを用いて制御する回動制御部と、
を備え、
前記回動制御部は、
前記車速が基準速度を超える特定範囲内である場合には、前記回動駆動装置のトルクの最大の大きさを、前記１以上の回動輪が前記操作量に拘わらず前記車体の傾斜の変化に追随して前記車体に対して左右に回動することを許容するトルクの特定の大きさに設定し、
前記車速が前記基準速度以下である場合には、
前記回動駆動装置のトルクの最大の大きさを、前記車速が速いほど小さい大きさに設定し、
前記回動駆動装置のトルクを、前記最大の大きさ以下の大きさのトルクであって、前記１以上の回動輪の方向を、前記操作量を用いて特定される目標の方向に近づけるトルクに設定する、
車両。
【０００８】
この構成によれば、車速が基準速度を超える特定範囲内である場合には、１以上の回動輪が操作量に拘わらず車体の傾斜の変化に追随して車体に対して左右に回動可能なので、走行安定性が向上する。また、車速が基準速度以下である場合には、回動駆動装置のトルクが、１以上の回動輪の方向を、操作量を用いて特定される目標の方向に近づけるトルクに設定されるので、操作量に適した走行が可能である。そして、トルクの最大の大きさは、車速が速いほど小さい大きさに設定されるので、車速が、基準速度以下の範囲と、基準速度を超える範囲との間で変化する場合に、回動駆動装置のトルクの変化が大きくなることが、抑制される。この結果、１以上の回動輪の方向の安定性が向上し、そして、走行安定性が向上する。
【０００９】
［適用例２］
適用例１に記載の車両であって、
前記回動制御部は、前記車速が前記基準速度以下である場合には、前記車速が前記基準速度に達した場合に前記最大の大きさが前記特定の大きさになるように、前記最大の大きさを、前記車速が速いほど小さい大きさに設定する、
車両。
【００１０】
この構成によれば、車速が、基準速度以下の範囲と、基準速度を超える範囲との間で変化する場合に、回動駆動装置のトルクが滑らかに変化するので、１以上の回動輪の方向の安定性が向上し、そして、走行安定性が向上する。
【００１１】
［適用例３］
適用例１または２に記載の車両であって、
前記特定の大きさは、ゼロである、車両。
【００１２】
この構成によれば、車速が基準速度を超える特定範囲内である場合には、１以上の回動輪が容易に左右に回動できるので、走行安定性が向上する。
【００１３】
なお、本明細書に開示の技術は、種々の態様で実現することが可能であり、例えば、車両、車両の制御装置、車両の制御方法、等の態様で実現することができる。
【図面の簡単な説明】
【００１４】
【図１】車両１０の右側面図である。
【図２】車両１０の上面図である。
【図３】車両１０の下面図である。
【図４】車両１０の背面図である。
【図５】車両１０の状態を示す概略図である。
【図６】旋回時の力のバランスの説明図である。
【図７】車輪角ＡＦと旋回半径Ｒとの簡略化された関係を示す説明図である。
【図８】回転する前輪１２Ｆに作用する力の説明図である。
【図９】車両１０の制御に関する構成を示すブロック図である。
【図１０】制御処理の例を示すフローチャートである。
【図１１】制御装置１１０のうち操舵モータ６５の制御に関連する部分のブロック図である。
【図１２】操舵モータ６５を制御する処理の例を示すフローチャートである。
【図１３】車速ＶとＰゲインＫｐとの対応関係を示すグラフと、車速ＶとＤゲインＫｄとの対応関係を示すグラフと、車速Ｖと操舵モータ６５のトルクの最大の大きさＴＱｍａｘと、の対応関係を示すグラフである。
【図１４】車両の別の実施例の概略図である。
【発明を実施するための形態】
【００１５】
Ａ．第１実施例：
Ａ１．車両１０の構成：
図１〜図４は、一実施例としての車両１０を示す説明図である。図１は、車両１０の右側面図を示し、図２は、車両１０の上面図を示し、図３は、車両１０の下面図を示し、図４は、車両１０の背面図を示している。図２〜図４では、図１に示す車両１０の構成のうち、説明に用いる部分が図示され、他の部分の図示が省略されている。図１〜図４には、６つの方向ＤＦ、ＤＢ、ＤＵ、ＤＤ、ＤＲ、ＤＬが示されている。前方向ＤＦは、車両１０の前進方向であり、後方向ＤＢは、前方向ＤＦの反対方向である。上方向ＤＵは、鉛直上方向であり、下方向ＤＤは、上方向ＤＵの反対方向である。右方向ＤＲは、前方向ＤＦに走行する車両１０から見た右方向であり、左方向ＤＬは、右方向ＤＲの反対方向である。方向ＤＦ、ＤＢ、ＤＲ、ＤＬは、いずれも、水平な方向である。右と左の方向ＤＲ、ＤＬは、前方向ＤＦに垂直である。
【００１６】
本実施例では、この車両１０は、一人乗り用の小型車両である。車両１０（図１、図２）は、車体９０と、車体９０に連結された１つの前輪１２Ｆと、車体９０に連結され車両１０の幅方向（すなわち、右方向ＤＲに平行な方向）に互いに離れて配置された２つの後輪１２Ｌ、１２Ｒと、を有する三輪車である。前輪１２Ｆは、左右方向に回動可能であり、車両１０の幅方向の中心に配置されている。後輪１２Ｌ、１２Ｒは、駆動輪であり、車両１０の幅方向の中心に対して対称に配置されている。
【００１７】
車体９０（図１）は、本体部２０を有している。本体部２０は、前部２０ａと、底部２０ｂと、後部２０ｃと、支持部２０ｄと、を有している。底部２０ｂは、水平な方向（すなわち、上方向ＤＵに垂直な方向）に拡がる板状の部分である。前部２０ａは、底部２０ｂの前方向ＤＦ側の端部から前方向ＤＦ側かつ上方向ＤＵ側に向けて斜めに延びる板状の部分である。後部２０ｃは、底部２０ｂの後方向ＤＢ側の端部から後方向ＤＢ側かつ上方向ＤＵ側に向けて斜めに延びる板状の部分である。支持部２０ｄは、後部２０ｃの上端から後方向ＤＢに向かって延びる板状の部分である。本体部２０は、例えば、金属製のフレームと、フレームに固定されたパネルと、を有している。
【００１８】
車体９０（図１）は、さらに、底部２０ｂ上に固定された座席１１と、底部２０ｂ上の座席１１よりも前方向ＤＦ側に配置されたアクセルペダル４５とブレーキペダル４６と、座席１１の座面の下に配置され底部２０ｂに固定された制御装置１１０と、底部２０ｂのうちの制御装置１１０よりも下の部分に固定されたバッテリ１２０と、前部２０ａの前方向ＤＦ側の端部に固定された前輪支持装置４１と、前輪支持装置４１に取り付けられたシフトスイッチ４７と、を有している。なお、図示を省略するが、本体部２０には、他の部材（例えば、屋根、前照灯など）が固定され得る。車体９０は、本体部２０に固定された部材を含んでいる。
【００１９】
アクセルペダル４５は、車両１０を加速するためのペダルである。アクセルペダル４５の踏み込み量（「アクセル操作量」とも呼ぶ）は、ユーザの望む加速力を表している。ブレーキペダル４６は、車両１０を減速するためのペダルである。ブレーキペダル４６の踏み込み量（「ブレーキ操作量」とも呼ぶ）は、ユーザの望む減速力を表している。シフトスイッチ４７は、車両１０の走行モードを選択するためのスイッチである。本実施例では、「ドライブ」と「ニュートラル」と「リバース」と「パーキング」との４つの走行モードから１つを選択可能である。「ドライブ」は、駆動輪１２Ｌ、１２Ｒの駆動によって前進するモードであり、「ニュートラル」は、駆動輪１２Ｌ、１２Ｒが回転自在であるモードであり、「リバース」は、駆動輪１２Ｌ、１２Ｒの駆動によって後退するモードであり、「パーキング」は、少なくとも１つの車輪（例えば、後輪１２Ｌ、１２Ｒ）が回転不能であるモードである。「ドライブ」と「ニュートラル」とは、通常は、車両１０の前進時に利用される。
【００２０】
前輪支持装置４１（図１）は、回動軸Ａｘ１を中心に車両１０の旋回方向に向けて前輪１２Ｆを回動可能に支持する装置である。前輪支持装置４１は、前輪１２Ｆを回転可能に支持する前フォーク１７と、回動軸Ａｘ１を中心に前フォーク１７（すなわち、前輪１２Ｆ）を回動可能に支持する軸受６８と、前フォーク１７を回動させる操舵モータ６５と、を有している。また、車両１０には、ユーザによる操作によってユーザの望む旋回方向と旋回の程度とが入力される操作入力部としてのハンドル４１ａが、設けられている。ハンドル４１ａには、ハンドル４１ａの回転軸に沿って延びる支持棒４１ａｘが、固定されている。支持棒４１ａｘは、回転軸に沿って回転可能に、前輪支持装置４１に接続されている。また、前輪支持装置４１は、支持棒４１ａｘと前フォーク１７とを連結する接続部５０を、有している。接続部５０の詳細については、後述する。
【００２１】
前フォーク１７（図１）は、例えば、サスペンション（コイルスプリングとショックアブソーバ）を内蔵したテレスコピックタイプのフォークである。
【００２２】
軸受６８は、本体部２０（ここでは、前部２０ａ）と、前フォーク１７と、を連結している。また、軸受６８は、前フォーク１７を、前方向ＤＦに対して左右に回動可能に支持している。操舵モータ６５は、ロータ６６と、ステータ６７と、を含んでいる。ロータ６６とステータ６７とのうちの一方（本実施例では、ロータ６６）は、前フォーク１７に固定されている。ロータ６６とステータ６７とのうちの他方（本実施例では、ステータ６７）は、本体部２０（ここでは、前部２０ａ）に固定されている。
【００２３】
ハンドル４１ａ（図１）は、ハンドル４１ａの回転軸に沿って延びる支持棒４１ａｘを中心に回動可能である。ハンドル４１ａの回動方向（右、または、左）は、ユーザの望む旋回方向を示している。直進を示す所定方向からのハンドル４１ａの回動の程度（ここでは、回動角度。以下「ハンドル角」とも呼ぶ）は、ユーザの望む旋回の程度を示している。本実施例では、「ハンドル角＝ゼロ」は、直進を示し、「ハンドル角＞ゼロ」は、右旋回を示し、「ハンドル角＜ゼロ」は、左旋回を示している。このように、ハンドル角の正負の違いは、旋回方向を示している。また、ハンドル角の絶対値は、旋回の程度を示している。このようなハンドル角は、ハンドル４１ａに入力される旋回方向と旋回の程度とを表す操作量の例である。
【００２４】
車輪角ＡＦ（図２）は、下方向ＤＤを向いて車両１０を見る場合に、前方向ＤＦを基準とする、回転する前輪１２Ｆの進行方向Ｄ１２の角度である。この進行方向Ｄ１２は、前輪１２Ｆの回転軸に垂直な方向である。本実施例では、「ＡＦ＝ゼロ」は、「方向Ｄ１２＝前方向ＤＦ」を示し、「ＡＦ＞ゼロ」は、旋回方向が右方向ＤＲであること（すなわち、方向Ｄ１２が右方向ＤＲ側を向いている）を示し、「ＡＦ＜ゼロ」は、旋回方向が左方向ＤＬであること（すなわち、方向Ｄ１２が左方向ＤＬ側を向いている）を示している。制御装置１１０（図１）は、ユーザによって操作されるハンドル４１ａの向きに合わせて、前フォーク１７の向き（すなわち、前輪１２Ｆの車輪角ＡＦ）を変更するように、操舵モータ６５を制御する場合がある。
【００２５】
前輪支持装置４１の動作モードは、操舵モータ６５によって車輪角ＡＦが制御される第１モードと、ハンドル４１ａに入力されるハンドル角に拘わらず前輪１２Ｆの車輪角ＡＦが左右方向に回動できる状態で前輪１２Ｆを支持する第２モードと、を含んでいる。第１モードでは、前輪１２Ｆの方向Ｄ１２が操舵モータ６５によって制御されるので、ハンドル角とは独立な前輪１２Ｆの自由な回動は、禁止される。前輪支持装置４１の動作モードが第１モードである場合、車輪角ＡＦは、いわゆる操舵角に対応する。第２モードでは、操舵モータ６５のトルクがおおよそゼロに設定されるので、前輪１２Ｆの方向Ｄ１２は、ハンドル角とは独立に、左右に回動できる。これらのモードの詳細については、後述する。
【００２６】
図１に示すように、本実施例では、車両１０が水平な地面ＧＬ上に配置されている場合、前輪支持装置４１の回動軸Ａｘ１は、地面ＧＬに対して斜めに傾斜しており、具体的には、回動軸Ａｘ１に平行に下方向ＤＤ側へ向かう方向は、斜め前方を向いている。そして、前輪支持装置４１の回動軸Ａｘ１と地面ＧＬとの交点Ｐ２は、前輪１２Ｆの地面ＧＬとの接触中心Ｐ１よりも、前方向ＤＦ側に位置している。図１、図３に示すように、接触中心Ｐ１は、前輪１２Ｆと地面ＧＬとの接触領域Ｃａ１の中心である。接触領域の中心は、接触領域の重心の位置を示している。領域の重心は、領域内に質量が均等に分布していると仮定する場合の重心の位置である。これらの点Ｐ１、Ｐ２の間の後方向ＤＢの距離Ｌｔは、トレールと呼ばれる。正のトレールＬｔは、接触中心Ｐ１が交点Ｐ２よりも後方向ＤＢ側に位置していることを示している。また、鉛直上方向ＤＵと、回動軸Ａｘ１に沿って鉛直上方向ＤＵ側へ向かう方向と、のなす角度ＣＡは、キャスター角とも呼ばれる。キャスター角ＣＡがゼロよりも大きいことは、回動軸Ａｘ１に沿って鉛直上方向ＤＵ側へ向かう方向が、斜め後ろに傾斜していることを、示している。
【００２７】
２つの後輪１２Ｌ、１２Ｒ（図４）は、後輪支持部８０に回転可能に支持されている。後輪支持部８０は、リンク機構３０と、リンク機構３０の上部に固定されたリーンモータ２５と、リンク機構３０の上部に固定された第１支持部８２と、リンク機構３０の前部に固定された第２支持部８３（図１）と、を有している。図１では、説明のために、リンク機構３０と第１支持部８２と第２支持部８３のうちの右後輪１２Ｒに隠れている部分も実線で示されている。図２では、説明のために、本体部２０に隠れている後輪支持部８０と後輪１２Ｌ、１２Ｒと連結部７５とが、実線で示されている。図１〜図３では、リンク機構３０が簡略化して示されている。
【００２８】
第１支持部８２（図４）は、リンク機構３０の上方向ＤＵ側に配置されている。第１支持部８２は、左後輪１２Ｌの上方向ＤＵ側から、右後輪１２Ｒの上方向ＤＵ側まで、右方向ＤＲに平行に延びる板状の部分を含んでいる。第２支持部８３（図１、図２）は、リンク機構３０の前方向ＤＦ側の、左後輪１２Ｌと右後輪１２Ｒとの間に配置されている。
【００２９】
右後輪１２Ｒ（図１）は、リムを有するホイール１２Ｒａと、ホイール１２Ｒａのリムに装着されたタイヤ１２Ｒｂと、を有している。ホイール１２Ｒａ（図４）は、右電気モータ５１Ｒに接続されている。右電気モータ５１Ｒは、ステータとロータとを有している（図示省略）。ロータとステータとのうちの一方は、ホイール１２Ｒａに固定され、他方は、後輪支持部８０に固定されている。右電気モータ５１Ｒの回転軸は、ホイール１２Ｒａの回転軸と同じであり、右方向ＤＲに平行である。左後輪１２Ｌの構成は、右後輪１２Ｒの構成と、同様である。具体的には、左後輪１２Ｌは、ホイール１２Ｌａとタイヤ１２Ｌｂとを有している。ホイール１２Ｌａは、左電気モータ５１Ｌに接続されている。左電気モータ５１Ｌのロータとステータとのうちの一方は、ホイール１２Ｌａに固定され、他方は、後輪支持部８０に固定されている。これらの電気モータ５１Ｌ、５１Ｒは、後輪１２Ｌ、１２Ｒを直接的に駆動するインホイールモータである。
【００３０】
図１、図４には、車体９０が傾斜せずに直立している状態（後述する傾斜角Ｔがゼロである状態）が、示されている。この状態で、左後輪１２Ｌの回転軸ＡｒＬと右後輪１２Ｒの回転軸ＡｒＲとは、同じ直線上に位置している。また、図１、図３には、右後輪１２Ｒの地面ＧＬとの接触中心ＰｂＲと、左後輪１２Ｌの地面ＧＬとの接触中心ＰｂＬと、が示されている。図３に示すように、右の接触中心ＰｂＲは、右後輪１２Ｒと地面ＧＬとの接触領域ＣａＲの中心である。左の接触中心ＰｂＬは、左後輪１２Ｌと地面ＧＬとの接触領域ＣａＬの中心である。図１の状態では、これらの接触中心ＰｂＲ、ＰｂＬの前方向ＤＦの位置は、おおよそ同じである。
【００３１】
リンク機構３０（図４）は、いわゆる、平行リンクである。リンク機構３０は、右方向ＤＲに向かって順番に並ぶ３つの縦リンク部材３３Ｌ、２１、３３Ｒと、下方向ＤＤに向かって順番に並ぶ２つの横リンク部材３１Ｕ、３１Ｄと、を有している。縦リンク部材３３Ｌ、２１、３３Ｒは、車体９０が傾斜せずに直立している場合に、鉛直方向に平行である。横リンク部材３１Ｕ、３１Ｄは、車体９０が傾斜せずに直立している場合に、水平方向に平行である。２つの縦リンク部材３３Ｌ、３３Ｒと、２つの横リンク部材３１Ｕ、３１Ｄとは、平行四辺形リンク機構を形成している。上横リンク部材３１Ｕは、縦リンク部材３３Ｌ、３３Ｒの上端を連結している。下横リンク部材３１Ｄは、縦リンク部材３３Ｌ、３３Ｒの下端を連結している。中縦リンク部材２１は、横リンク部材３１Ｕ、３１Ｄの中央部分を連結している。これらのリンク部材３３Ｌ、３３Ｒ、３１Ｕ、３１Ｄ、２１は、互いに回動可能に連結されており、回動軸は、前方向ＤＦに平行である。左縦リンク部材３３Ｌには、左電気モータ５１Ｌが固定されている。右縦リンク部材３３Ｒには、右電気モータ５１Ｒが固定されている。中縦リンク部材２１の上部には、第１支持部８２と第２支持部８３（図１）とが、固定されている。リンク部材３３Ｌ、２１、３３Ｒ、３１Ｕ、３１Ｄと、支持部８２、８３とは、例えば、金属で形成されている。
【００３２】
本実施例では、リンク機構３０は、複数のリンク部材を回動可能に連結するための軸受けを有している。例えば、軸受３８は、下横リンク部材３１Ｄと中縦リンク部材２１とを回動可能に連結し、軸受３９は、上横リンク部材３１Ｕと中縦リンク部材２１とを回動可能に連結している。説明を省略するが、複数のリンク部材を回動可能に連結する他の部分にも、軸受が設けられている。
【００３３】
リーンモータ２５は、例えば、ステータとロータとを有する電気モータである。リーンモータ２５のステータとロータのうちの一方は、中縦リンク部材２１に固定され、他方は、上横リンク部材３１Ｕに固定されている。リーンモータ２５の回動軸は、これらのリンク部材３１Ｕ、２１の連結部分（ここでは、軸受３９）の回動軸と同じであり、車両１０の幅方向の中心に位置している。リーンモータ２５のロータがステータに対して回動すると、上横リンク部材３１Ｕが、中縦リンク部材２１に対して、傾斜する。これにより、車両１０が傾斜する。以下、リーンモータ２５によって生成されるトルク（本実施例では、中縦リンク部材２１に対して上横リンク部材３１Ｕを傾斜させるトルク）を、傾斜トルクとも呼ぶ。傾斜トルクは、車体９０を傾斜させるトルクである。
【００３４】
図５は、車両１０の状態を示す概略図である。図中には、車両１０の簡略化された背面図が示されている。図５（Ａ）は、車両１０が直立している状態を示し、図５（Ｂ）は、車両１０が傾斜している状態を示している。図５（Ａ）に示すように、上横リンク部材３１Ｕが中縦リンク部材２１に対して直交する場合、全ての車輪１２Ｆ、１２Ｌ、１２Ｒが、平らな地面ＧＬに対して直立する。そして、車体９０を含む車両１０の全体は、地面ＧＬに対して、直立する。図中の車両上方向ＤＶＵは、車両１０の上方向である。車両１０が傾斜していない状態では、車両上方向ＤＶＵは、上方向ＤＵと同じである。本実施例では、後輪支持部８０のうちの車体９０とともに傾斜する部材の向き（具体的には、中縦リンク部材２１の向き）を、車両上方向ＤＶＵとして採用する。
【００３５】
図５（Ｂ）に示すように、上横リンク部材３１Ｕが中縦リンク部材２１に対して傾斜する場合、右後輪１２Ｒと左後輪１２Ｌとの一方が、車両上方向ＤＶＵ側に移動し、他方は、車両上方向ＤＶＵとは反対方向側に移動する。すなわち、リンク機構３０とリーンモータ２５とは、幅方向に互いに離れて配置された一対の車輪１２Ｌ、１２Ｒの間の回転軸に垂直な方向の相対位置を変化させる。この結果、全ての車輪１２Ｆ、１２Ｌ、１２Ｒが地面ＧＬに接触した状態で、これらの車輪１２Ｆ、１２Ｌ、１２Ｒは、地面ＧＬに対して傾斜する。そして、車体９０を含む車両１０の全体は、地面ＧＬに対して、傾斜する。図５（Ｂ）の例では、右後輪１２Ｒが車両上方向ＤＶＵ側に移動し、左後輪１２Ｌが反対側に移動している。この結果、車輪１２Ｆ、１２Ｌ、１２Ｒ、ひいては、車体９０を含む車両１０の全体は、右方向ＤＲ側に、傾斜する。後述するように、車両１０が右方向ＤＲ側に旋回する場合に、車両１０は、右方向ＤＲ側に傾斜する。車両１０が左方向ＤＬ側に旋回する場合に、車両１０は、左方向ＤＬ側に傾斜する。
【００３６】
図５（Ｂ）では、車両上方向ＤＶＵは、上方向ＤＵに対して、右方向ＤＲ側に傾斜している。以下、前方向ＤＦを向いて車両１０を見る場合の、上方向ＤＵと車両上方向ＤＶＵとの間の角度を、傾斜角Ｔと呼ぶ。ここで、「Ｔ＞ゼロ」は、右方向ＤＲ側への傾斜を示し、「Ｔ＜ゼロ」は、左方向ＤＬ側への傾斜を示している。車両１０が傾斜する場合、車体９０も、おおよそ、同じ方向に傾斜する。車両１０の傾斜角Ｔは、車体９０の傾斜角Ｔということができる。
【００３７】
なお、リーンモータ２５は、リーンモータ２５を回動不能に固定する図示しないロック機構を有している。ロック機構を作動させることによって、上横リンク部材３１Ｕは、中縦リンク部材２１に対して回動不能に固定される。この結果、傾斜角Ｔが固定される。例えば、車両１０の駐車時に、傾斜角Ｔはゼロに固定される。ロック機構としては、メカニカルな機構であって、リーンモータ２５（ひいては、リンク機構３０）を固定している最中に電力を消費しない機構が好ましい。
【００３８】
図５（Ａ）、図５（Ｂ）には、傾斜軸ＡｘＬが示されている。傾斜軸ＡｘＬは、地面ＧＬ上に位置している。リンク機構３０とリーンモータ２５とは、車両１０を、傾斜軸ＡｘＬを中心に、右と左とに傾斜させることができる。本実施例では、傾斜軸ＡｘＬは、地面ＧＬ上に位置しており、前輪１２Ｆと地面ＧＬとの接触中心Ｐ１を通り前方向ＤＦに平行な直線である。後輪１２Ｌ、１２Ｒを回転可能に支持するリンク機構３０と、リンク機構３０を作動させるアクチュエータとしてのリーンモータ２５とは、車体９０を車両１０の幅方向に傾斜させる傾斜機構８９を構成する。傾斜角Ｔは、傾斜機構８９による傾斜角である。
【００３９】
車体９０（具体的には、本体部２０）は、図１、図５（Ａ）、図５（Ｂ）に示すように、後方向ＤＢ側から前方向ＤＦ側に向かって延びるロール軸ＡｘＲを中心に回動可能に、後輪支持部８０に連結されている。図２、図４に示すように、本実施例では、本体部２０は、サスペンションシステム７０と連結部７５とによって、後輪支持部８０に連結されている。
【００４０】
サスペンションシステム７０（図４）は、左サスペンション７０Ｌと、右サスペンション７０Ｒと、を有している。左サスペンション７０Ｌは、コイルスプリング７１Ｌとショックアブソーバ７２Ｌとを含み、右サスペンション７０Ｒは、コイルスプリング７１Ｒとショックアブソーバ７２Ｒとを含んでいる。本実施例では、各サスペンション７０Ｌ、７０Ｒは、コイルスプリング７１Ｌ、７１Ｒとショックアブソーバ７２Ｌ、７２Ｒとを内蔵するテレスコピックタイプのサスペンションである。各サスペンション７０Ｌ、７０Ｒは、各サスペンション７０Ｌ、７０Ｒの中心軸７０Ｌａ、７０Ｒａ（図４）に沿って、伸縮可能である。
【００４１】
図４に示すように車両１０が直立している状態では、各サスペンション７０Ｌ、７０Ｒの中心軸は、鉛直方向におおよそ平行である。サスペンション７０Ｌ、７０Ｒの上端部は、第１軸方向（例えば、前方向ＤＦ）に平行な回動軸を中心に回動可能に本体部２０の支持部２０ｄに連結されている。サスペンション７０Ｌ、７０Ｒの下端部は、第２軸方向（例えば、右方向ＤＲ）に平行な回動軸を中心に回動可能に後輪支持部８０の第１支持部８２に連結されている。なお、サスペンション７０Ｌ、７０Ｒと他の部材との連結部分の構成は、他の種々の構成であってもよい（例えば、玉継ぎ手）。
【００４２】
連結部７５は、図１、図２に示すように、前方向ＤＦに延びる棒である。連結部７５は、車両１０の幅方向の中心に配置されている。連結部７５の前方向ＤＦ側の端部は、本体部２０の後部２０ｃに連結されている。連結部分の構成は、例えば、玉継ぎ手である。連結部７５は、後部２０ｃに対して、予め決められた範囲内で、任意の方向に動くことができる。連結部７５の後方向ＤＢ側の端部は、後輪支持部８０の第２支持部８３に連結されている。連結部分の構成は、例えば、玉継ぎ手である。連結部７５は、第２支持部８３に対して、予め決められた範囲内で、任意の方向に動くことができる。
【００４３】
このように、本体部２０（ひいては、車体９０）は、サスペンションシステム７０と連結部７５とを介して、後輪支持部８０に連結されている。車体９０は、後輪支持部８０に対して、動くことが可能である。図１のロール軸ＡｘＲは、車体９０が後輪支持部８０に対して右方向ＤＲまたは左方向ＤＬに回動する場合の中心軸を示している。本実施例では、ロール軸ＡｘＲは、前輪１２Ｆと地面ＧＬとの接触中心Ｐ１と、連結部７５の近傍と、を通る直線である。車体９０は、サスペンション７０Ｌ、７０Ｒの伸縮によって、ロール軸ＡｘＲを中心に、幅方向に回動可能である。なお、本実施例では、傾斜機構８９による傾斜の傾斜軸ＡｘＬは、ロール軸ＡｘＲと異なっている。
【００４４】
図５（Ａ）、図５（Ｂ）には、ロール軸ＡｘＲを中心に回動する車体９０が、点線で示されている。図中のロール軸ＡｘＲは、サスペンション７０Ｌ、７０Ｒを含み前方向ＤＦに垂直な平面上のロール軸ＡｘＲの位置を示している。図５（Ｂ）に示すように、車両１０が傾斜した状態においても、車体９０は、さらに、ロール軸ＡｘＲを中心に、右方向ＤＲと左方向ＤＬとに回動可能である。
【００４５】
車体９０は、後輪支持部８０による回動と、サスペンションシステム７０と連結部７５とによる回動と、によって、鉛直上方向ＤＵ（ひいては、地面ＧＬ）に対して、車両１０の幅方向に回動し得る。このように、車両１０の全体を総合して実現される車体９０の幅方向の回動を、ロールとも呼ぶ。本実施例では、車体９０のロールは、主に、後輪支持部８０とサスペンションシステム７０と連結部７５との全体を通じて引き起こされる。また、車体９０やタイヤ１２Ｒｂ、１２Ｌｂなどの車両１０の部材の変形によっても、ロールは生じる。
【００４６】
図１、図５（Ａ）、図５（Ｂ）には、重心９０ｃが示されている。この重心９０ｃは、満載状態での車体９０の重心である。満載状態は、車両１０が、車両１０の総重量が許容される車両総重量になるように、乗員（可能なら荷物も）を積んだ状態である。例えば、荷物の最大重量は規定されず、最大定員数が規定される場合がある。この場合、重心９０ｃは、車両１０に対応付けられた最大定員数の乗員が車両１０に搭乗した状態の重心である。乗員の体重としては、最大定員数に予め対応付けられた基準体重（例えば、５５ｋｇ）が採用される。また、最大定員数に加えて、荷物の最大重量が規定される場合がある。この場合、重心９０ｃは、最大定員数の乗員と、最大重量の荷物と、を積んだ状態での、車体９０の重心である。
【００４７】
図示するように、本実施例では、重心９０ｃは、ロール軸ＡｘＲの下方向ＤＤ側に配置されている。従って、車体９０がロール軸ＡｘＲを中心に振動する場合に、振動の振幅が過度に大きくなることを抑制できる。本実施例では、重心９０ｃをロール軸ＡｘＲの下方向ＤＤ側に配置するために、車体９０（図１）の要素のうち比較的重い要素であるバッテリ１２０が、低い位置に配置されている。具体的には、バッテリ１２０は、車体９０の本体部２０のうちの最も低い部分である底部２０ｂに固定されている。従って、重心９０ｃを、容易に、ロール軸ＡｘＲよりも低くできる。
【００４８】
図６は、旋回時の力のバランスの説明図である。図中には、旋回方向が右方向である場合の後輪１２Ｌ、１２Ｒの背面図が示されている。後述するように、旋回方向が右方向である場合、制御装置１１０（図１）は、後輪１２Ｌ、１２Ｒ（ひいては、車両１０）が地面ＧＬに対して右方向ＤＲに傾斜するように、リーンモータ２５を制御する場合がある。
【００４９】
図中の第１力Ｆ１は、車体９０に作用する遠心力である。第２力Ｆ２は、車体９０に作用する重力である。ここで、車体９０の質量をｍ（ｋｇ）とし、重力加速度をｇ（おおよそ、９．８ｍ／ｓ２）とし、鉛直方向に対する車両１０の傾斜角をＴ（度）とし、旋回時の車両１０の速度をＶ（ｍ／ｓ）とし、旋回半径をＲ（ｍ）とする。第１力Ｆ１と第２力Ｆ２とは、以下の式１、式２で表される。
Ｆ１  ＝  （ｍ＊Ｖ２）／Ｒ                （式１）
Ｆ２  ＝  ｍ＊ｇ                          （式２）
ここで、＊は、乗算記号（以下、同じ）。
【００５０】
また、図中の力Ｆ１ｂは、第１力Ｆ１の、車両上方向ＤＶＵに垂直な方向の成分である。力Ｆ２ｂは、第２力Ｆ２の、車両上方向ＤＶＵに垂直な方向の成分である。力Ｆ１ｂと力Ｆ２ｂとは、以下の式３、式４で表される。
Ｆ１ｂ  ＝  Ｆ１＊ｃｏｓ（Ｔ）            （式３）
Ｆ２ｂ  ＝  Ｆ２＊ｓｉｎ（Ｔ）            （式４）
ここで、「ｃｏｓ（）」は、余弦関数であり、「ｓｉｎ（）」は、正弦関数である（以下、同じ）。
【００５１】
力Ｆ１ｂは、車両上方向ＤＶＵを左方向ＤＬ側に回動させる成分であり、力Ｆ２ｂは、車両上方向ＤＶＵを右方向ＤＲ側に回動させる成分である。車両１０が傾斜角Ｔ（さらには、速度Ｖと旋回半径Ｒ）を保ちつつ安定して旋回を続ける場合には、Ｆ１ｂとＦ２ｂとの関係は、以下の式５で表される
Ｆ１ｂ  ＝  Ｆ２ｂ                      （式５）
式５に上記の式１〜式４を代入すると、旋回半径Ｒは、以下の式６で表される。
Ｒ  ＝  Ｖ２／（ｇ＊ｔａｎ（Ｔ））      （式６）
ここで、「ｔａｎ（）」は、正接関数である（以下、同じ）。
式６は、車体９０の質量ｍに依存せずに、成立する。ここで、式６の「Ｔ」を、左方向と右方向とを区別せずに傾斜角の大きさを表すパラメータＴａ（ここでは、傾斜角Ｔの絶対値）に置換することによって得られる以下の式６ａは、車体９０の傾斜方向に拘わらずに、成立する。
Ｒ  ＝  Ｖ２／（ｇ＊ｔａｎ（Ｔａ））      （式６ａ）
【００５２】
図７は、車輪角ＡＦと旋回半径Ｒとの簡略化された関係を示す説明図である。図中には、下方向ＤＤを向いて見た車輪１２Ｆ、１２Ｌ、１２Ｒが示されている。図中では、前輪１２Ｆは、右方向ＤＲに回動しており、車両１０は、右方向ＤＲに旋回する。図中の前中心Ｃｆは、前輪１２Ｆの中心である。前中心Ｃｆは、前輪１２Ｆの回転軸上に位置している。下方向ＤＤを向いて車両１０を見る場合、前中心Ｃｆは、接触中心Ｐ１（図１）とおおよそ同じ位置に位置している。後中心Ｃｂは、２つの後輪１２Ｌ、１２Ｒの中心である。車体９０が傾斜していない場合、後中心Ｃｂは、後輪１２Ｌ、１２Ｒの回転軸上の、後輪１２Ｌ、１２Ｒの間の中央に位置している。下方向ＤＤを向いて車両１０を見る場合、後中心Ｃｂの位置は、２個の後輪１２Ｌ、１２Ｒの接触中心ＰｂＬ、ＰｂＲの間の中央の位置と、同じである。中心Ｃｒは、旋回の中心である（旋回中心Ｃｒと呼ぶ）。ホイールベースＬｈは、前中心Ｃｆと後中心Ｃｂとの間の前方向ＤＦの距離である。図１に示すように、ホイールベースＬｈは、前輪１２Ｆの回転軸と、後輪１２Ｌ、１２Ｒの回転軸との間の前方向ＤＦの距離である。
【００５３】
図７に示すように、前中心Ｃｆと後中心Ｃｂと旋回中心Ｃｒとは、直角三角形を形成する。点Ｃｂの内角は、９０度である。点Ｃｒの内角は、車輪角ＡＦと同じである。従って、車輪角ＡＦと旋回半径Ｒとの関係は、以下の式７で表される。
ＡＦ  ＝  ａｒｃｔａｎ（Ｌｈ／Ｒ）      （式７）
ここで「ａｒｃｔａｎ（）」は、正接関数の逆関数である（以下、同じ）。
【００５４】
なお、現実の車両１０の挙動と、図７の簡略化された挙動と、の間には、種々の差異が存在する。例えば、現実の車輪１２Ｆ、１２Ｌ、１２Ｒは、地面ＧＬに対して滑り得る。また、現実の前輪１２Ｆと後輪１２Ｌ、１２Ｒは、傾斜する。従って、現実の旋回半径は、式７の旋回半径Ｒと異なり得る。ただし、式７は、車輪角ＡＦと旋回半径Ｒとの関係を示す良い近似式として、利用可能である。
【００５５】
前進中に図５（Ｂ）のように車両１０が右方向ＤＲ側へ傾斜した場合、車体９０の重心９０ｃが右方向ＤＲ側へ移動するので、車両１０の進行方向は、右方向ＤＲ側へ変化する。これにより、前輪支持装置４１（図１）（ひいては、回動軸Ａｘ１（図５（Ｂ）））も、右方向ＤＲ側へ移動する。一方、前輪１２Ｆと地面ＧＬとの接触中心Ｐ１は、摩擦によって、直ぐに右方向ＤＲ側へ移動することはできない。そして、本実施例では、図１で説明したように、前輪１２Ｆは、正のトレールＬｔを有する。すなわち、接触中心Ｐ１は、回動軸Ａｘ１と地面ＧＬとの交点Ｐ２よりも、後方向ＤＢ側に位置している。これらの結果、前進中に車両１０が右方向ＤＲ側へ傾斜した場合、前輪１２Ｆの向き（すなわち、進行方向Ｄ１２（図２））は、自然に、車両１０の新たな進行方向、すなわち、傾斜方向（図５（Ｂ）の例では、右方向ＤＲ）に、回動可能である。図５（Ｂ）中の回動方向ＲＦは、車体９０が右方向ＤＲ側へ傾斜する場合の、回動軸Ａｘ１を中心とする前輪１２Ｆの回動方向を示している。前輪支持装置４１が第２モードで動作している場合には、前輪１２Ｆの向きは、傾斜角Ｔの変更開始に続いて、自然に、傾斜方向に回動する。そして、車両１０は、傾斜方向に向かって、旋回する。
【００５６】
また、旋回半径が上記の式６（ひいては、式６ａ）で表される旋回半径Ｒと同じである場合には、力Ｆ１ｂ、Ｆ２ｂ（図６、式５）が釣り合うので、車両１０の挙動の安定性が向上する。傾斜角Ｔで旋回する車両１０は、式６で表される旋回半径Ｒで旋回しようとする。また、車両１０が正のトレールＬｔを有するので、前輪１２Ｆの進行方向Ｄ１２は、自然に、車両１０の進行方向と同じになる。従って、車両１０が傾斜角Ｔで旋回する場合、左右に回動できる前輪１２Ｆの向き（すなわち、車輪角ＡＦ）は、式６で表される旋回半径Ｒと、式７と、から特定される車輪角ＡＦの向きに、落ち着き得る。このように、車輪角ＡＦは、車体９０の傾斜に追随して、変化する。
【００５７】
また、本実施例では、車体９０が傾斜する場合に、前輪１２Ｆには、トレールＬｔに依存せずに、車輪角ＡＦを傾斜方向に回動させる力が作用する。図８は、回転する前輪１２Ｆに作用する力の説明図である。図中には、前輪１２Ｆの斜視図が示されている。図８の例では、前輪１２Ｆの方向Ｄ１２は、前方向ＤＦと同じである。回転軸Ａｘ２は、前輪１２Ｆの回転軸である。車両１０が前進する場合、前輪１２Ｆは、この回転軸Ａｘ２を中心に、回転する。図中には、前輪支持装置４１（図１）の回動軸Ａｘ１と、前軸Ａｘ３とが示されている。回動軸Ａｘ１は、上方向ＤＵ側から下方向ＤＤ側に向かって延びている。前軸Ａｘ３は、前輪１２Ｆの重心１２Ｆｃを通り、前輪１２Ｆの方向Ｄ１２に平行な軸である。なお、前輪１２Ｆの回転軸Ａｘ２も、前輪１２Ｆの重心１２Ｆｃを通っている。
【００５８】
図１等で説明したように、本実施例では、前輪１２Ｆを支持する前輪支持装置４１は、車体９０に固定されている。従って、車体９０が傾斜する場合には、前輪支持装置４１が車体９０とともに傾斜するので、前輪１２Ｆの回転軸Ａｘ２も、同様に、同じ方向へ傾斜しようとする。走行中の車両１０の車体９０が右方向ＤＲ側に傾斜する場合、回転軸Ａｘ２を中心に回転する前輪１２Ｆに、右方向ＤＲ側へ傾斜させるトルクＴｑ１（図８）が作用する。このトルクＴｑ１は、前軸Ａｘ３を中心に前輪１２Ｆを右方向ＤＲ側へ傾斜させようとする力の成分を含んでいる。このように、回転する物体に外部トルクが印加される場合の物体の運動は、歳差運動として知られている。例えば、回転する物体は、回転軸と外部トルクの軸とに垂直な軸を中心に、回動する。図８の例では、トルクＴｑ１の印加によって、回転する前輪１２Ｆは、前輪支持装置４１の回動軸Ａｘ１を中心に右方向ＤＲ側へ回動する。このように、回転する前輪１２Ｆの角運動量に起因して、前輪１２Ｆの方向Ｄ１２（すなわち、車輪角ＡＦ）は、車体９０の傾斜に追随して変化する。
【００５９】
以上、車両１０が右方向ＤＲ側に傾斜する場合について説明した。車両１０が左方向ＤＬ側に傾斜する場合も、同様に、前輪１２Ｆの方向Ｄ１２（すなわち、車輪角ＡＦ）は、車体９０の傾斜に追随して左方向ＤＬ側へ回動する。
【００６０】
このように、第２モードで動作している前輪支持装置４１は、以下のように、前輪１２Ｆを支持している。すなわち、前輪１２Ｆは、ハンドル４１ａに入力される情報に拘わらず、車体９０の傾斜の変化に追随して、車体９０に対して左右に回動可能である。例えば、ハンドル４１ａが直進を示す所定方向を向いた状態に維持される場合であっても、車体９０の傾斜角Ｔが右方向に変化する場合には、前輪１２Ｆは、傾斜角Ｔの変化に追随して、右方向に回動し得る（すなわち、車輪角ＡＦは、右方向に変化し得る）。前輪支持装置４１がこのように前輪１２Ｆを支持していることは、以下のように言い換えられる。すなわち、前輪支持装置４１は、ハンドル４１ａに入力される１つの操作量に対する前輪１２Ｆの車輪角ＡＦが１つの車輪角ＡＦに制限されないように、車体９０の傾斜の変化に追随して車体９０に対して左右に回動可能に、前輪１２Ｆを支持している。
【００６１】
なお、図１で説明したように、ハンドル４１ａに固定された支持棒４１ａｘと、前輪１２Ｆを回転可能に支持する支持部材の例である前フォーク１７とは、接続部５０で連結されている。接続部５０は、支持棒４１ａｘに固定された第１部分５１と、前フォーク１７に固定された第２部分５２と、第１部分５１と第２部分５２とを接続する第３部分５３と、を含んでいる。接続部５０は、ハンドル４１ａに、支持棒４１ａｘを介して間接的に接続され、前フォーク１７に、直接的に接続されている。第３部分５３は、本実施例では、弾性体であり、具体的には、コイルバネである。ユーザがハンドル４１ａを右または左に回動させる場合、ハンドル４１ａにユーザによって印加された右向きまたは左向きの力は、接続部５０を介して、前フォーク１７へ伝達される。すなわち、ユーザは、ハンドル４１ａを操作することによって、前フォーク１７、ひいては、前輪１２Ｆに、右向きまたは左向きの力を、印加できる。これにより、ユーザは、前輪１２Ｆが意図する方向を向いていない場合（すなわち、車輪角ＡＦが意図する角度と異なる場合）、ハンドル４１ａを操作することによって、前輪１２Ｆの向き（すなわち、車輪角ＡＦ）を修正できる。これにより、走行安定性を向上できる。例えば、路面の凹凸や風などの外部の要因に応じて、車輪角ＡＦが変化する場合に、ユーザは、ハンドル４１ａを操作することによって、車輪角ＡＦを修正できる。
【００６２】
なお、接続部５０は、ハンドル４１ａと前フォーク１７とを緩く接続する。例えば、接続部５０の第３部分５３のバネ定数は、十分に小さい値に設定されている。このような接続部５０は、前輪支持装置４１が第２モードで動作している場合に、ハンドル４１ａに入力されるハンドル角に拘わらずに、前輪１２Ｆが車体９０の傾斜の変化に追随して車体９０に対して左右に回動することを、許容する。従って、車輪角ＡＦは傾斜角Ｔに適した角度に変化できるので、走行安定性が向上する。なお、接続部５０が、緩い接続を実現する場合、すなわち、前輪１２Ｆの上記のような回動を許容する場合、車両１０は、以下のように動作し得る。例えば、ハンドル４１ａが左方向に回動される場合であっても、車体９０が右方向に傾斜する場合には、前輪１２Ｆは、右方向に回動し得る。また、アスファルト舗装された平らで乾燥した道路上に車両１０が停止している状態で、ハンドル４１ａを右と左とに回動させる場合に、ハンドル角と車輪角ＡＦとの一対一の関係は維持されない。ハンドル４１ａに印加される力は、接続部５０を介して、前フォーク１７に伝達されるので、車輪角ＡＦは、ハンドル角の変化に応じて、変化し得る。ただし、ハンドル角が１つの特定の値になるようにハンドル４１ａの向きが調整された時の車輪角ＡＦは、１つの値に固定されず、変化し得る。例えば、ハンドル４１ａと前輪１２Ｆとの両方が直進方向を向く状態で、ハンドル４１ａが右方向に回動される。これにより、前輪１２Ｆは、右を向く。この後に、ハンドル４１ａが再び直進方向に戻される。ここで、前輪１２Ｆは、直進方向を向かず、右を向いた状態に、維持され得る。また、ハンドル４１ａを右または左に回動させたとしても、車両１０は、ハンドル４１ａの方向に旋回できない場合がある。また、車両１０が停止している場合には、車両１０が走行している場合と比べて、ハンドル角の変化量に対する車輪角ＡＦの変化量の割合が小さい場合がある。
【００６３】
Ａ２．車両１０の制御：
図９は、車両１０の制御に関する構成を示すブロック図である。車両１０は、制御に関する構成として、車速センサ１２２と、ハンドル角センサ１２３と、車輪角センサ１２４と、リーン角センサ１２５と、アクセルペダルセンサ１４５と、ブレーキペダルセンサ１４６と、シフトスイッチ４７と、制御装置１１０と、右電気モータ５１Ｒと、左電気モータ５１Ｌと、リーンモータ２５と、操舵モータ６５と、を有している。
【００６４】
車速センサ１２２は、車両１０の車速を検出するセンサである。本実施例では、車速センサ１２２は、前フォーク１７（図１）の下端に取り付けられており、前輪１２Ｆの回転速度、すなわち、車速を検出する。
【００６５】
ハンドル角センサ１２３は、ハンドル４１ａの向き（すなわち、ハンドル角）を検出するセンサである。本実施例では、ハンドル角センサ１２３は、ハンドル４１ａ（図１）に固定された支持棒４１ａｘに取り付けられている。
【００６６】
車輪角センサ１２４は、前輪１２Ｆの車輪角ＡＦを検出するセンサである。本実施例では、車輪角センサ１２４は、操舵モータ６５（図１）に取り付けられている。
【００６７】
リーン角センサ１２５は、傾斜角Ｔを検出するセンサである。リーン角センサ１２５は、リーンモータ２５に取り付けられている（図４）。上述したように、上横リンク部材３１Ｕに対する中縦リンク部材２１の向きが、傾斜角Ｔに対応している。リーン角センサ１２５は、上横リンク部材３１Ｕに対する中縦リンク部材２１の向き、すなわち、傾斜角Ｔを検出する。
【００６８】
アクセルペダルセンサ１４５は、アクセル操作量を検出するセンサである。本実施例では、アクセルペダルセンサ１４５は、アクセルペダル４５（図１）に取り付けられている。ブレーキペダルセンサ１４６は、ブレーキ操作量を検出するセンサである。本実施例では、ブレーキペダルセンサ１４６は、ブレーキペダル４６（図１）に取り付けられている。
【００６９】
なお、各センサ１２２、１２３、１２４、１２５、１４５、１４６は、例えば、レゾルバ、または、エンコーダを用いて構成されている。
【００７０】
制御装置１１０は、主制御部１００と、駆動装置制御部１０１と、リーンモータ制御部１０２と、操舵モータ制御部１０３と、を有している。制御装置１１０は、バッテリ１２０（図１）からの電力を用いて動作する。本実施例では、制御部１００、１０１、１０２、１０３は、それぞれ、コンピュータを有している。具体的には、制御部１００、１０１、１０２、１０３は、プロセッサ１００ｐ、１０１ｐ、１０２ｐ、１０３ｐ（例えば、ＣＰＵ）と、揮発性記憶装置１００ｖ、１０１ｖ、１０２ｖ、１０３ｖ（例えば、ＤＲＡＭ）と、不揮発性記憶装置１００ｎ、１０１ｎ、１０２ｎ、１０３ｎ（例えば、フラッシュメモリ）と、を有している。不揮発性記憶装置１００ｎ、１０１ｎ、１０２ｎ、１０３ｎには、対応する制御部１００、１０１、１０２、１０３の動作のためのプログラムが、予め格納されている（図示省略）。また、主制御部１００の不揮発性記憶装置１００ｎには、後述する処理で参照されるマップを表すマップデータＭＴ、ＭＡＦが、予め格納されている。プロセッサ１００ｐ、１０１ｐ、１０２ｐ、１０３ｐは、それぞれ、対応するプログラムを実行することによって、種々の処理を実行する。
【００７１】
主制御部１００のプロセッサ１００ｐは、センサ１２２、１２３、１２４、１２５、１４５、１４６とシフトスイッチ４７とからの信号を受信し、受信した信号に応じて車両１０を制御する。具体的には、主制御部１００のプロセッサ１００ｐは、駆動装置制御部１０１とリーンモータ制御部１０２と操舵モータ制御部１０３とに指示を出力することによって、車両１０を制御する（詳細は後述）。
【００７２】
駆動装置制御部１０１のプロセッサ１０１ｐは、主制御部１００からの指示に従って、電気モータ５１Ｌ、５１Ｒを制御する。リーンモータ制御部１０２のプロセッサ１０２ｐは、主制御部１００からの指示に従って、リーンモータ２５を制御する。操舵モータ制御部１０３のプロセッサ１０３ｐは、主制御部１００からの指示に従って、操舵モータ６５を制御する。これらの制御部１０１、１０２、１０３は、それぞれ、制御対象のモータ５１Ｌ、５１Ｒ、２５、６５にバッテリ１２０からの電力を供給する電気回路１０１ｃ、１０２ｃ、１０３ｃ（例えば、インバータ回路）を有している。
【００７３】
以下、制御部１００、１０１、１０２、１０３のプロセッサ１００ｐ、１０１ｐ、１０２ｐ、１０３ｐが処理を実行することを、単に、制御部１００、１０１、１０２、１０３が処理を実行する、とも表現する。
【００７４】
図１０は、制御装置１１０（図９）によって実行される制御処理の例を示すフローチャートである。図１０のフローチャートは、後輪支持部８０と前輪支持装置４１との制御の手順を示している。図１０の実施例では、制御装置１１０は、車速Ｖが、予め決められた基準速度Ｖｔｈを超える場合には、前輪１２Ｆの向きが車体９０の傾斜に追随して変化するように前輪１２Ｆを支持する第２モードで前輪支持装置４１を動作させる。車速Ｖが基準速度Ｖｔｈ以下である場合、制御装置１１０は、前輪１２Ｆの方向Ｄ１２（すなわち、車輪角ＡＦ）を能動的に制御する第１モードで前輪支持装置４１を動作させる。また、制御装置１１０は、車速Ｖが基準速度Ｖｔｈを超える場合と基準速度Ｖｔｈ以下である場合とのそれぞれにおいて、車両１０を傾斜させるリーン制御を行う。図１０では、各処理に、文字「Ｓ」と、文字「Ｓ」に続く数字と、を組み合わせた符号が、付されている。
【００７５】
Ｓ１００では、主制御部１００は、センサ１２２、１２３、１２４、１２５、１４５、１４６とシフトスイッチ４７とからの信号を取得する。これにより、主制御部１００は、速度Ｖとハンドル角と車輪角ＡＦと傾斜角Ｔとアクセル操作量とブレーキ操作量と走行モードとを、特定する。
【００７６】
Ｓ１１０では、主制御部１００は、「走行モードが「リバース」と「パーキング」とのいずれかである」という条件が満たされるか否かを判断する。走行モードが「リバース」と「パーキング」とのいずれとも異なる場合（ここでは、走行モードが「ドライブ」と「ニュートラル」とのいずれかである場合）、Ｓ１１０の判断結果は、Ｎｏである。この場合、Ｓ１１５で、主制御部１００は、車速Ｖが基準速度Ｖｔｈ以下であるか否かを判断する。
【００７７】
車速Ｖが基準速度Ｖｔｈ以下である場合（Ｓ１１５：Ｙｅｓ）、前輪支持装置４１を第１モードで動作させることを含む処理Ｓ１７０、Ｓ１８０が、実行される。走行モードが「リバース」と「パーキング」とのいずれかである場合も（Ｓ１１０：Ｙｅｓ）、処理Ｓ１７０、Ｓ１８０が、実行される。このように、本実施例では、以下のいずれかの場合に、前輪支持装置４１の動作モードが第１モードに制御される。
１）走行モードが「ドライブ」と「ニュートラル」のいずれかであり、かつ、速度Ｖが基準速度Ｖｔｈ以下である場合（Ｓ１１０：Ｎｏ、Ｓ１１５：Ｙｅｓ）。
２）走行モードが「パーキング」である場合（Ｓ１１０：Ｙｅｓ）。
３）走行モードが「リバース」である場合（Ｓ１１０：Ｙｅｓ）。
【００７８】
Ｓ１７０では、主制御部１００は、ハンドル角に対応付けられた第１目標傾斜角Ｔ１を特定する。本実施例では、第１目標傾斜角Ｔ１は、ハンドル角（単位は、度）に所定の係数（例えば、３０／６０）を乗じて得られる値である。なお、ハンドル角と第１目標傾斜角Ｔ１との対応関係としては、比例関係に代えて、ハンドル角の絶対値が大きいほど第１目標傾斜角Ｔ１の絶対値が大きくなるような種々の関係を採用可能である。ハンドル角と第１目標傾斜角Ｔ１との対応関係を表す情報は、主制御部１００の不揮発性記憶装置１００ｎに格納されているマップデータＭＴによって、予め、決められている。主制御部１００は、このマップデータＭＴを参照し、参照したデータによって予め決められた対応関係に従って、ハンドル角に対応する第１目標傾斜角Ｔ１を特定する。なお、第１目標傾斜角Ｔ１は、ハンドル角と他の情報（例えば、車速Ｖ）とに基づいて、決定されてもよい。
【００７９】
なお、上述したように、式６は、傾斜角Ｔと速度Ｖと旋回半径Ｒとの対応関係を示し、式７は、旋回半径Ｒと車輪角ＡＦとの対応関係を示している。これらの式６、７を総合すれば、傾斜角Ｔと速度Ｖと車輪角ＡＦとの対応関係が特定される。ハンドル角と第１目標傾斜角Ｔ１との対応関係は、傾斜角Ｔと速度Ｖと車輪角ＡＦとの対応関係を通じて、ハンドル角と車輪角ＡＦとを対応付けている、ということができる（ここで、車輪角ＡＦは、速度Ｖに依存して変化し得る）。
【００８０】
主制御部１００（図９）は、傾斜角Ｔが第１目標傾斜角Ｔ１となるようにリーンモータ２５を制御するための指示を、リーンモータ制御部１０２に供給する。リーンモータ制御部１０２は、指示に従って、傾斜角Ｔが第１目標傾斜角Ｔ１になるように、リーンモータ２５を駆動する。これにより、車両１０の傾斜角Ｔが、ハンドル角に対応付けられた第１目標傾斜角Ｔ１に、変更される。本実施例では、リーンモータ制御部１０２は、傾斜角Ｔと第１目標傾斜角Ｔ１との差を用いるリーンモータ２５のフィードバック制御を行う。例えば、いわゆるＰＩＤ（Proportional Integral Derivative）制御が行われる。この制御により、傾斜角Ｔと第１目標傾斜角Ｔ１との差の絶対値が大きい場合に、リーンモータ２５のトルクの大きさが大きくなり、傾斜角Ｔは、第１目標傾斜角Ｔ１に近づく。主制御部１００とリーンモータ制御部１０２との全体は、車体９０を傾斜させるリンク機構３０とリーンモータ２５とを制御する傾斜制御部として、機能する（傾斜制御部１９０とも呼ぶ）。
【００８１】
Ｓ１８０では、制御装置１１０は、第１モードで前輪支持装置４１を動作させる処理を、実行する。図１１は、制御装置１１０のうち、前輪支持装置４１（具体的には、操舵モータ６５）の制御に関連する部分のブロック図である。本実施例では、制御装置１１０は、車輪角ＡＦが、後述する目標車輪角ＡＦｔ１に近づくように、車輪角ＡＦと目標車輪角ＡＦｔ１との差ｄＡＦを用いる操舵モータ６５のフィードバック制御を行う。具体的には、ＰＤ（Proportional Derivative）制御が行われる。この制御により、差ｄＡＦの絶対値が大きい場合に、操舵モータ６５のトルクの大きさが大きくなり、車輪角ＡＦは、目標車輪角ＡＦｔ１に近づく。
【００８２】
このように、主制御部１００と操舵モータ制御部１０３との全体は、操舵モータ６５のトルクを制御する回動制御部として、機能する（回動制御部１７０とも呼ぶ）。また、図１、図９の符号１８０は、前輪１２Ｆを支持する回動輪支持部１８０を示している。回動輪支持部１８０は、前輪１２Ｆを回転可能に支持する支持部材の例である前フォーク１７と、前フォーク１７を左右に回動可能に支持する軸受６８と、前フォーク１７を左右に回動させるトルクを前フォーク１７に印加する操舵モータ６５と、操舵モータ６５のトルクを制御する回動制御部１７０と、接続部５０と、を含んでいる。
【００８３】
図１１に示すように、操舵モータ制御部１０３は、第１加算点３１０と、Ｐゲイン制御部３１５と、Ｐ制御部３２０と、Ｄゲイン制御部３３５と、Ｄ制御部３４０と、第２加算点３５０と、電力制御部１０３ｃと、を含んでいる。処理部３１０、３１５、３２０、３３５、３４０、３５０は、操舵モータ制御部１０３のプロセッサ１０３ｐによって実現される。また、電力制御部１０３ｃは、操舵モータ６５にバッテリ１２０からの電力を供給する電気回路（例えば、インバータ回路）を用いて、実現される。以下、操舵モータ制御部１０３が、処理部３１０、３１５、３２０、３３５、３４０、３５０、１０３ｃとして処理を実行することを、処理部３１０、３１５、３２０、３３５、３４０、３５０、１０３ｃが処理を実行する、とも表現する。
【００８４】
図１２は、操舵モータ６５を制御する処理の例を示すフローチャートである。この処理は、図１０のＳ１８０の処理の例を示している。Ｓ２００では、主制御部１００は、車速センサ１２２とハンドル角センサ１２３と車輪角センサ１２４とから、車速Ｖを示す情報とハンドル角Ａｉを示す情報と車輪角ＡＦを示す情報とを、それぞれ取得する。Ｓ２１０では、主制御部１００は、第１目標車輪角ＡＦｔ１を決定する。第１目標車輪角ＡＦｔ１は、ハンドル角Ａｉと車速Ｖとに応じて決定される。第１目標車輪角ＡＦｔ１とハンドル角Ａｉと車速Ｖとの対応関係を表す情報は、主制御部１００（図９）の不揮発性記憶装置１００ｎに格納されているマップデータＭＡＦによって、予め、決められている。主制御部１００は、このマップデータＭＡＦを参照し、参照したデータによって予め決められた対応関係に従って、ハンドル角Ａｉと車速Ｖとの組み合わせに対応する第１目標車輪角ＡＦｔ１を特定する。なお、本実施例では、ハンドル角Ａｉと車速Ｖと第１目標車輪角ＡＦｔ１との対応関係は、図１０のＳ１７０でハンドル角Ａｉを用いて特定される第１目標傾斜角Ｔ１と、車速Ｖと、上記の式６、式７とを用いて特定される車輪角ＡＦと、の対応関係と同じである。
【００８５】
Ｓ２２０では、操舵モータ制御部１０３の第１加算点３１０は、主制御部１００から第１目標車輪角ＡＦｔ１を表す情報と車輪角ＡＦを表す情報とを取得する。そして、第１加算点３１０は、第１目標車輪角ＡＦｔ１から車輪角ＡＦを引いて得られる差ｄＡＦを示す情報を、Ｐ制御部３２０とＤ制御部３４０とに、出力する。
【００８６】
Ｓ２３０では、Ｐゲイン制御部３１５は、主制御部１００から車速Ｖを示す情報を取得し、車速Ｖを用いてＰゲインＫｐを決定する。本実施例では、車速ＶとＰゲインＫｐとの対応関係は、予め決められている（詳細は、後述する）。Ｓ２３５では、Ｐ制御部３２０は、差ｄＡＦとＰゲインＫｐとを用いて、比例項Ｖｐを決定する。比例項Ｖｐの決定方法は、ＰＩＤ制御の比例項を決定するための公知の方法であってよい。例えば、差ｄＡＦにＰゲインＫｐを乗じて得られる値が、比例項Ｖｐとして出力される。
【００８７】
Ｓ２４５では、Ｄゲイン制御部３３５は、主制御部１００から車速Ｖを示す情報を取得し、車速Ｖを用いてＤゲインＫｄを決定する。本実施例では、車速ＶとＤゲインＫｄとの対応関係は、予め決められている（詳細は、後述する）。Ｓ２５０では、Ｄ制御部３４０は、差ｄＡＦとＤゲインＫｄとを用いて、微分項Ｖｄを決定する。微分項Ｖｄの決定方法は、ＰＩＤ制御の微分項を決定するための公知の方法であってよい。例えば、差ｄＡＦの微分値にＤゲインＫｄを乗じて得られる値が、微分項Ｖｄとして出力される。差ｄＡＦの微分値を特定するための時間差は、予め決められていてよく、これに代えて、他のパラメータ（例えば、ＤゲインＫｄ）に基づいて決定されてよい。
【００８８】
なお、比例項Ｖｐを決定するための処理Ｓ２３０、Ｓ２３５と、微分項Ｖｄを決定するための処理Ｓ２４５、Ｓ２５０とは、並列に実行される。
【００８９】
Ｓ２６０では、第２加算点３５０は、制御部３２０、３４０から、項Ｖｐ、Ｖｄを表す情報を、それぞれ取得する。そして、第２加算点３５０は、これらの項Ｖｐ、Ｖｄの合計である制御値Ｖｃを特定し、制御値Ｖｃを示す情報を、電力制御部１０３ｃに出力する。Ｓ２７０では、電力制御部１０３ｃは、制御値Ｖｃに従って、操舵モータ６５に供給される電力を制御する。電力の大きさ（すなわち、操舵モータ６５のトルクの大きさ）は、制御値Ｖｃの絶対値が大きいほど、大きい。また、制御値Ｖｃに基づいて生じる操舵モータ６５のトルクの向きは、車輪角ＡＦを第１目標車輪角ＡＦｔ１に近づける向きである。このように、制御値Ｖｃは、操舵モータ６５のトルクを示している。制御値Ｖｃは、例えば、操舵モータ６５に供給すべき電流の向きと大きさとを示している。Ｓ２６０では、操舵モータ制御部１０３は、操舵モータ６５のトルクを、決定しているといえる。また、各項Ｖｐ、Ｖｄは、いずれも、制御値Ｖｃの一部を形成している。従って、各項Ｖｐ、Ｖｄも、操舵モータ６５のトルクを制御するための制御値の一種である、といえる。
【００９０】
以上により、図１２の処理、すなわち、図１０のＳ１８０の処理が、終了する。制御装置１１０は、図１０の処理を繰り返し実行する。Ｓ１７０、Ｓ１８０を実行するための条件が満たされる場合（Ｓ１１０：Ｙｅｓ、または、Ｓ１１０：Ｎｏ、Ｓ１１５：Ｙｅｓ）、制御装置１１０は、Ｓ１７０の傾斜角Ｔの制御と、Ｓ１８０の前輪支持装置４１の制御（第１モード）を、継続して行う。この結果、車両１０は、ハンドル角Ａｉに適した進行方向に向かって、走行する。
【００９１】
図１３（Ａ）は、車速ＶとＰゲインＫｐとの予め決められた対応関係を示すグラフである。横軸は、車速Ｖを示し、縦軸は、ＰゲインＫｐを示している。図示するように、基準速度Ｖｔｈを超える車速Ｖの特定範囲（本実施例では、基準速度Ｖｔｈより大きく、車両１０の予め決められた最高速度Ｖｍ以下の範囲）では、ＰゲインＫｐは、ゼロである。基準速度Ｖｔｈ以下の車速Ｖの範囲では、車速Ｖがゼロから基準速度Ｖｔｈへ変化する場合に、ＰゲインＫｐは、予め決められたゲインＫｐｍ（Ｋｐｍ＞ゼロ）から、ゼロへ、直線的に変化する。このように、ＰゲインＫｐは、車速Ｖが大きいほど小さい。そして、ＰゲインＫｐは、車速Ｖの変化に対して、滑らかに変化している。図１２のＳ２３０では、Ｐゲイン制御部３１５は、ＰゲインＫｐを、このような対応関係によって車速Ｖに対応付けられるＰゲインＫｐに、決定する。速度ＶとＰゲインＫｐとの対応関係は、不揮発性記憶装置１０３ｎ（図９）に予め格納されているマップデータＭｐによって、予め、決められている。Ｐゲイン制御部３１５は、マップデータＭｐを参照して、車速Ｖに対応付けられたＰゲインＫｐを特定する。
【００９２】
図１３（Ｂ）は、車速ＶとＤゲインＫｄとの予め決められた対応関係を示すグラフである。横軸は、車速Ｖを示し、縦軸は、ＤゲインＫｄを示している。図示するように、基準速度Ｖｔｈを超える車速Ｖの特定範囲（本実施例では、基準速度Ｖｔｈより大きく、車両１０の最高速度Ｖｍ以下の範囲）では、ＤゲインＫｄは、ゼロである。基準速度Ｖｔｈ以下の車速Ｖの範囲では、ＤゲインＫｄは、予め決められたゲインＫｄｍである（Ｋｄｍ＞ゼロ）。なお、このゲインＫｄｍは、ＰゲインＫｐよりも十分に小さく、おおよそゼロである。図１２のＳ２４５では、Ｄゲイン制御部３３５は、ＤゲインＫｄを、このような対応関係によって車速Ｖに対応付けられるＤゲインＫｄに、決定する。速度ＶとＤゲインＫｄとの対応関係は、不揮発性記憶装置１０３ｎ（図９）に予め格納されているマップデータＭｄによって、予め、決められている。Ｄゲイン制御部３３５は、マップデータＭｄを参照して、車速Ｖに対応付けられたＤゲインＫｄを特定する。
【００９３】
図１３（Ｃ）は、車速Ｖと、操舵モータ６５のトルクの最大の大きさＴＱｍａｘと、の対応関係を示すグラフである。横軸は、車速Ｖを示し、縦軸は、トルクの最大の大きさＴＱｍａｘを示している。トルクの最大の大きさＴＱｍａｘは、差ｄＡＦの絶対値が最大である場合に出力されるトルクの大きさである。例えば、車輪角ＡＦが右方向の最大値であり、ハンドル角Ａｉが左方向の最大値である場合に出力され得るトルクの大きさが、トルクの最大の大きさＴＱｍａｘである。このようなトルクの最大の大きさＴＱｍａｘは、図１２のＳ２６０で出力される制御値Ｖｃの大きさ（ここでは、絶対値）の最大値に対応している。トルクの最大の大きさＴＱｍａｘは、ＰゲインＫｐが大きいほど、大きく、また、ＤゲインＫｄが大きいほど、大きい。
【００９４】
基準速度Ｖｔｈを超える車速Ｖの特定範囲（本実施例では、基準速度Ｖｔｈより大きく、車両１０の最高速度Ｖｍ以下の範囲）では、ＰゲインＫｐとＤゲインＫｄとがゼロであるので、トルクの最大の大きさＴＱｍａｘも、ゼロである。基準速度Ｖｔｈ以下の車速Ｖの範囲では、ＤゲインＫｄは、おおよそゼロである。従って、制御値Ｖｃ、すなわち、操舵モータ６５のトルクは、主にＰゲインＫｐに基づいて決まる。また、トルクの最大の大きさＴＱｍａｘも、主にＰゲインＫｐに基づいて、決まる。具体的には、車速Ｖがゼロから基準速度Ｖｔｈへ変化する場合に、トルクの最大の大きさＴＱｍａｘは、ゼロよりも大きいトルクＴＱｍから、ゼロへ、直線的に変化する。このように、トルクの最大の大きさＴＱｍａｘは、車速Ｖが速いほど、小さい。この理由については、車速Ｖが基準速度Ｖｔｈを超えている場合の処理の説明の後に、説明する。なお、ＰゲインＫｐは、車速Ｖの変化に対して、滑らかに変化しているので、トルクの最大の大きさＴＱｍａｘも、車速Ｖの変化に対して、滑らかに変化している。また、操舵モータ制御部１０３は、図１２のＳ２３０、Ｓ２４５を実行することによって、ＰゲインＫｐとＤゲインＫｄ、ひいては、トルクの最大の大きさＴＱｍａｘを決定している、といえる。
【００９５】
図１０のＳ１１５で、車速Ｖが基準速度Ｖｔｈを超えている場合（Ｓ１１５：Ｎｏ）、前輪支持装置４１を第２モードで動作させることを含む処理Ｓ１３０、Ｓ１４０が、実行される。このように、本実施例では、走行モードが「ドライブ」と「ニュートラル」のいずれかであり、かつ、速度Ｖが基準速度Ｖｔｈを超えている場合に（Ｓ１１０：Ｎｏ、Ｓ１１５：Ｎｏ）、前輪支持装置４１の動作モードが第２モードに制御される。
【００９６】
Ｓ１３０の処理は、Ｓ１７０の処理と、同じである。主制御部１００は、ハンドル角に対応付けられた第１目標傾斜角Ｔ１を特定する。主制御部１００は、傾斜角Ｔが第１目標傾斜角Ｔ１となるようにリーンモータ２５を制御するための指示を、リーンモータ制御部１０２に供給する。リーンモータ制御部１０２は、指示に従って、傾斜角Ｔが第１目標傾斜角Ｔ１になるように、リーンモータ２５を駆動する。これにより、傾斜角Ｔは、第１目標傾斜角Ｔ１に、制御される。
【００９７】
Ｓ１４０の処理は、Ｓ１８０の処理と、同じである。主制御部１００（図１１）と操舵モータ制御部１０３とは、図１２の手順に従って、操舵モータ６５を制御する。図１３（Ａ）に示すように、車速Ｖが基準速度Ｖｔｈを超える場合、図１２のＳ２３０で、ＰゲインＫｐは、ゼロに設定される。図１３（Ｂ）に示すように、車速Ｖが基準速度Ｖｔｈを超える場合、図１２のＳ２４５で、ＤゲインＫｄは、ゼロに設定される。以上により、制御値Ｖｃは、ゼロであり、トルクの最大の大きさＴＱｍａｘ（図１３（Ｃ））は、ゼロである。電力制御部１０３ｃ（図１１）は、制御値Ｖｃがゼロである場合には、操舵モータ６５への電力の供給を停止する。以上により、操舵モータ６５は、回動自在である。前輪支持装置４１の動作モードは、第２モードである。そして、前輪１２Ｆは、左右に自由に回動可能である。
【００９８】
前輪１２Ｆは、式６で表される旋回半径Ｒと、式７と、から特定される車輪角ＡＦの方向に、自然に、回動する。前輪１２Ｆの回動は、傾斜角Ｔの変更開始の後に、自然に始まる。すなわち、車輪角ＡＦは、車体９０の傾斜に追随して変化する。そして、図１０の処理が終了する。制御装置１１０は、図１０の処理を繰り返し実行する。Ｓ１３０、Ｓ１４０を実行するための条件が満たされる場合（Ｓ１１０：Ｎｏ、Ｓ１１５：Ｎｏ）、制御装置１１０は、Ｓ１３０の傾斜角Ｔの制御と、Ｓ１４０の前輪支持装置４１の制御（第２モード）を、継続して行う。この結果、車両１０は、ハンドル角Ａｉに適した進行方向に向かって、走行する。
【００９９】
図示を省略するが、主制御部１００（図９）と駆動装置制御部１０１とは、アクセル操作量とブレーキ操作量とに応じて電気モータ５１Ｌ、５１Ｒを制御する駆動制御部として機能する。本実施例では、具体的には、アクセル操作量が増大した場合には、主制御部１００は、電気モータ５１Ｌ、５１Ｒの出力パワーを増大させるための指示を、駆動装置制御部１０１に供給する。駆動装置制御部１０１は、指示に従って、出力パワーが増大するように、電気モータ５１Ｌ、５１Ｒを制御する。アクセル操作量が減少した場合には、主制御部１００は、電気モータ５１Ｌ、５１Ｒの出力パワーを減少させるための指示を、駆動装置制御部１０１に供給する。駆動装置制御部１０１は、指示に従って、出力パワーが減少するように、電気モータ５１Ｌ、５１Ｒを制御する。
【０１００】
ブレーキ操作量がゼロよりも大きくなった場合には、主制御部１００は、電気モータ５１Ｌ、５１Ｒの出力パワーを減少させるための指示を、駆動装置制御部１０１に供給する。駆動装置制御部１０１は、指示に従って、出力パワーが減少するように、電気モータ５１Ｌ、５１Ｒを制御する。なお、車両１０は、全ての車輪１２Ｆ、１２Ｌ、１２Ｒのうちの少なくとも１つの車輪の回転速度を摩擦によって低減するブレーキ装置を有することが好ましい。そして、ユーザがブレーキペダル４６を踏み込んだ場合に、ブレーキ装置が、少なくとも１つの車輪の回転速度を低減することが好ましい。
【０１０１】
以上のように、本実施例では、図１０のＳ１１０の判断結果がＮｏである場合には、制御装置１１０は、車速Ｖに応じて、処理を切り替えている。ここで、Ｓ１１０の判断結果がＮｏであることは、通常は、車両１０が前進していることを、示している。
【０１０２】
車速Ｖが基準速度Ｖｔｈを超える特定範囲（本実施例では、基準速度Ｖｔｈを超え、最高速度Ｖｍ以下の範囲）内である場合（Ｓ１１５：Ｎｏ）、図１０のＳ１４０で、回動制御部１７０（図９）は、ＰゲインＫｐとＤゲインＫｄとをゼロに設定することによって、操舵モータ６５のトルクを、ゼロに設定する（図１３（Ｃ））。このようなゼロのトルクは、前輪１２Ｆがハンドル４１ａに入力される操作量に拘わらず車体９０の傾斜の変化に追随して車体９０に対して左右に回動することを許容するトルクである。
【０１０３】
車速Ｖが速い場合、種々の要因によって、前輪１２Ｆの向きは、車体９０の傾斜に追随して容易に変化できる。例えば、図８で説明したように、前輪１２Ｆの方向は、回転する前輪１２Ｆの角運動量に起因して、車体９０の傾斜に追随して変化する。従って、前輪１２Ｆの角運動量が大きいほど、すなわち、車速Ｖが速いほど、前輪１２Ｆの向きは、車体９０の傾斜に追随して容易に変化できる。本実施例では、車速Ｖが基準速度Ｖｔｈを超える場合には、操舵モータ６５のトルクがゼロであるので、車輪１２Ｆの方向は、ハンドル４１ａの操作量に拘わらずに車体９０の傾斜の変化に追随して変化できる。この結果、車輪角ＡＦは傾斜角Ｔに適した角度に変化できるので、走行安定性が向上する。なお、基準速度Ｖｔｈは、図１０のＳ１４０で、前輪１２Ｆの方向Ｄ１２が傾斜角Ｔに適した方向を向くことができるように、予め、実験的に決定される（例えば、基準速度Ｖｔｈは、時速１５ｋｍ）。
【０１０４】
また、車速Ｖが基準速度Ｖｔｈ以下である場合（Ｓ１１５：Ｙｅｓ）、図１０のＳ１８０で、回動制御部１７０は、操舵モータ６５のトルクを、最大の大きさＴＱｍａｘ以下の大きさのトルクであって、前輪１２Ｆの方向を、ハンドル４１ａの操作量を用いて特定される目標の方向（ここでは、目標車輪角ＡＦｔ１に対応する方向）に近づけるトルクに設定する。これにより、車輪角ＡＦは、目標車輪角ＡＦｔ１に近づき、前輪１２Ｆの方向は、目標の方向に近づく。この結果、前輪１２Ｆの方向Ｄ１２が、ハンドル４１ａの操作量に適した方向からずれることが抑制されるので、走行安定性が向上する。
【０１０５】
また、図１０のＳ１８０では、回動制御部１７０は、操舵モータ６５のトルクの最大の大きさＴＱｍａｘを、車速Ｖが速いほど小さい大きさに設定する（図１３（Ｃ））。トルクの最大の大きさＴＱｍａｘのこのような制御は、ＰゲインＫｐを、車速が速いほど小さいゲインに設定することによって、行われる（図１３（Ａ））。上述したように、車速Ｖが速いほど、前輪１２Ｆの向きは、車体９０の傾斜に追随して容易に変化できる。従って、車速Ｖが速いほど最大の大きさＴＱｍａｘが小さい値に設定される場合であっても、車両の良好な走行安定性は、維持される。また、車速Ｖが速い状態で、ハンドル４１ａが急に操作された場合であっても、車輪１２Ｆの方向Ｄ１２が急に変化することが抑制されるので、走行安定性が、向上する。
【０１０６】
また、図１３（Ｃ）で説明したように、回動制御部１７０は、車速Ｖが基準速度Ｖｔｈ以下である場合には、トルクの最大の大きさＴＱｍａｘを、以下のように制御する。すなわち、回動制御部１７０は、車速Ｖが基準速度Ｖｔｈに達した場合に、トルクの最大の大きさＴＱｍａｘが、車速Ｖが基準速度Ｖｔｈを超える場合のトルクの大きさ（ここでは、ゼロ）になるように、トルクの最大の大きさＴＱｍａｘを、車速Ｖが速いほど小さい大きさに設定する。これにより、車速Ｖが、基準速度Ｖｔｈ以下の範囲と基準速度Ｖｔｈを超える範囲との間で変化する場合に、操舵モータ６５のトルクが滑らかに変化するので、前輪１２Ｆの方向Ｄ１２の安定性が向上し、そして、走行安定性が向上する。
【０１０７】
また、図１３（Ｃ）で説明したように、車速Ｖが基準速度Ｖｔｈを超える場合の操舵モータ６５のトルクは、ゼロである。従って、前輪１２Ｆは、容易に、左右に回動できるので、走行安定性が向上する。
【０１０８】
また、図１で説明したように、接続部５０は、ハンドル４１ａと前フォーク１７とに接続されており、ハンドル４１ａから前フォーク１７へ、力を伝達できる。これにより、ユーザは、ハンドル４１ａを操作することによって、前輪１２Ｆの方向Ｄ１２を修正できるので、走行安定性が向上する。また、接続部５０は、ハンドル４１ａに入力される操作量に拘わらず車体９０の傾斜の変化に追随して前輪１２Ｆの方向Ｄ１２が変化することを許容する（本実施例では、第３部分５３のバネ定数が、小さい）。従って、車輪角ＡＦは傾斜角Ｔに適した角度に変化できるので、走行安定性が向上する。
【０１０９】
Ｂ．変形例：
（１）車速ＶとＰゲインＫｐとの対応関係は、図１３（Ａ）に示す対応関係に代えて、他の種々の対応関係であってよい。例えば、車速Ｖが基準速度Ｖｔｈ以下である場合に、ＰゲインＫｐは、車速Ｖの変化に対して、曲線を描くように変化してもよい。また、車速Ｖが基準速度Ｖｔｈを超える場合のＰゲインＫｐは、ゼロよりも大きい値であってよい。
【０１１０】
車速ＶとＤゲインＫｄとの対応関係は、図１３（Ｂ）に示す対応関係に代えて、他の種々の対応関係であってよい。例えば、車速Ｖが基準速度Ｖｔｈ以下である場合に、ＤゲインＫｄは、車速Ｖの変化に応じて、変化してもよい。また、車速Ｖが基準速度Ｖｔｈを超える場合のＤゲインＫｄは、ゼロよりも大きい値であってよい。
【０１１１】
また、操舵モータ６５の制御から、Ｄ制御が省略されてもよい。すなわち、図１１のＤゲイン制御部３３５とＤ制御部３４０とが省略され、図１２のＳ２４５、Ｓ２５０が省略されてよい。また、操舵モータ６５の制御は、ＰＩＤ（Proportional Integral Differential）制御であってもよい。
【０１１２】
いずれの場合も、車速Ｖが基準速度Ｖｔｈを超える場合には、ＰゲインＫｐとＤゲインＫｄとＩゲインとは、操舵モータ６５のトルクの最大の大きさＴＱｍａｘが以下のように小さくなるように、小さい値であることが好ましい。具体的には、操舵モータ６５のトルクの最大の大きさＴＱｍａｘが、ハンドル４１ａの操作量に拘わらず前輪１２Ｆが車体９０の傾斜の変化に追随して車体９０に対して左右に回動することを許容するような、小さな大きさであることが好ましい。
【０１１３】
また、車速Ｖが基準速度Ｖｔｈ以下である場合には、ＰゲインＫｐとＤゲインＫｄとＩゲインとは、それぞれ、以下のようなトルクの最大の大きさの変化を実現することが好ましい。すなわち、操舵モータ６５のトルクの最大の大きさは、車速Ｖが速いほど小さくなる。そして、車速が基準速度Ｖｔｈに達した場合に、操舵モータ６５のトルクの最大の大きさは、車速Ｖが基準速度Ｖｔｈを超える場合のトルクの最大の大きさになる。操舵モータ６５に車輪角ＡＦを目標車輪角に近づけるトルクを出力させるとともに、トルクの最大の大きさの上記のような変化を実現するためには、ＰゲインＫｐは、車速Ｖが速いほど小さい値に設定されることが好ましい。そして、速度Ｖが基準速度Ｖｔｈに達した場合に、ＰゲインＫｐは、車速Ｖが基準速度Ｖｔｈを超える場合のＰゲインＫｐと同じ値になることが好ましい。ＤゲインＫｄとＩゲインとについては、ＤゲインＫｄに起因する微分項ＶｄとＩゲインに起因する積分項とが比例項Ｖｐに比べて小さくなるように、十分に小さい値に設定されることが好ましい。
【０１１４】
ただし、車速Ｖが、基準速度Ｖｔｈ未満以下の速度から基準速度Ｖｔｈに達した場合に、操舵モータ６５のトルクの最大の大きさは、車速Ｖが基準速度Ｖｔｈを超える場合のトルクの最大の大きさと異なっていてもよい。この場合も、基準速度Ｖｔｈ以下の車速Ｖの範囲において、操舵モータ６５のトルクの最大の大きさが、車速Ｖが速いほど小さくなる場合には、基準速度Ｖｔｈにおけるトルクの変化が小さくなる。従って、走行安定性が、向上する。
【０１１５】
（２）図１０のＳ１４０、Ｓ１８０で目標車輪角を特定する方法は、種々の方法であってよい。上述したように、ハンドル角Ａｉと車速Ｖと第１目標車輪角ＡＦｔ１との対応関係は、図１０のＳ１７０でハンドル角Ａｉを用いて特定される第１目標傾斜角Ｔ１と、車速Ｖと、上記の式６、式７とを用いて特定される車輪角ＡＦと、の対応関係と同じである。従って、第１目標車輪角ＡＦｔ１は、第１目標傾斜角Ｔ１と車速Ｖとの組み合わせを用いて、特定されてよい。例えば、マップデータＭＡＦは、第１目標傾斜角Ｔ１と車速Ｖとの組み合わせと、第１目標車輪角ＡＦｔ１と、の対応関係を定めてよく、主制御部１００は、マップデータＭＡＦを参照して、第１目標傾斜角Ｔ１と車速Ｖとの組み合わせに対応する第１目標車輪角ＡＦｔ１を特定してよい。また、傾斜角Ｔは、第１目標傾斜角Ｔ１に近づくように、制御される。従って、第１目標傾斜角Ｔ１の代わりに、傾斜角Ｔが用いられてよい。例えば、マップデータＭＡＦは、実際の傾斜角Ｔと車速Ｖとの組み合わせと、第１目標車輪角ＡＦｔ１と、の対応関係を定めてよく、主制御部１００は、マップデータＭＡＦを参照して、傾斜角Ｔと車速Ｖとの組み合わせに対応する第１目標車輪角ＡＦｔ１を特定してよい。なお、第１目標傾斜角Ｔ１と傾斜角Ｔとは、車体９０の傾斜の大きさに関連する傾斜パラメータの例である。また、主制御部１００は、ハンドル角Ａｉと傾斜パラメータとの両方と、車速Ｖと、を用いて、目標車輪角を決定してもよい。この場合、主制御部１００は、目標車輪角を、ハンドル角Ａｉに適した車輪角と、傾斜パラメータに適した車輪角と、の間の車輪角に、決定してよい。
【０１１６】
また、主制御部１００は、ハンドル角Ａｉと傾斜角Ｔと第１目標傾斜角Ｔ１と車速Ｖとを含む制御パラメータと、操舵モータ６５の目標トルクと、の対応関係を示す情報（例えば、マップデータ）を参照して、制御パラメータに対応付けられた目標トルクを特定してよい。そして、操舵モータ制御部１０３は、操舵モータ６５に、目標トルクに対応する電力を供給してよい。対応関係を示す情報は、予め実験的に、決定されてよい。
【０１１７】
このように、主制御部１００（ひいては、回動制御部１７０）は、車体の傾斜の大きさに関連する傾斜パラメータと、ハンドル角Ａｉ等のハンドル４１ａの操作量と、の少なくとも一方と、車速Ｖと、を含む制御パラメータを用いて、操舵モータ６５のトルクを制御してよい。
【０１１８】
（３）図１０のＳ１３０、Ｓ１７０でリーンモータ２５を制御する方法は、種々の方法であってよい。例えば、主制御部１００は、ハンドル角Ａｉと、傾斜角Ｔと、を含む制御パラメータと、リーンモータ２５の目標トルクと、の対応関係を示す情報（例えば、マップデータ）を参照して、制御パラメータに対応付けられた目標トルクを特定してよい。そして、リーンモータ制御部１０２は、リーンモータ２５に、目標トルクに対応する電力を供給してよい。対応関係を示す情報は、予め実験的に、決定されてよい。
【０１１９】
このように、主制御部１００（ひいては、傾斜制御部１９０）は、傾斜角Ｔと、ハンドル角Ａｉ等のハンドル４１ａの操作量と、を含む制御パラメータを用いて、リーンモータ２５のトルクを制御してよい。
【０１２０】
（４）車両１０の制御処理は、図１０等で説明した処理に代えて、他の種々の処理であってよい。例えば、基準速度Ｖｔｈを第１基準速度Ｖｔｈと呼び、第１基準速度Ｖｔｈよりも大きい基準速度を、第２基準速度と呼ぶ。そして、車速Ｖが第２基準速度を超える場合に、前輪支持装置４１の動作モードは、第１モードに制御されてもよい。前輪支持装置４１の動作モードが第２モードに制御される車速Ｖの範囲は、第１基準速度Ｖｔｈを超え、第２基準速度以下の範囲である。一般的に、前輪支持装置４１の動作モードが第２モードに制御される車速Ｖの特定範囲は、基準速度Ｖｔｈを超え、かつ、上限速度以下の種々の範囲であってよい。上限速度は、予め決められた速度であってよい。上限速度は、例えば、最高速度Ｖｍであってよく、最高速度Ｖｍよりも遅い第２基準速度であってよい。
【０１２１】
また、低速時（例えば、速度Ｖが基準速度Ｖｔｈ以下である場合）には、傾斜角Ｔは、第１目標傾斜角Ｔ１よりも絶対値が小さい第２目標傾斜角Ｔ２に制御されてもよい。第２目標傾斜角Ｔ２は、例えば、以下の式８で表されてよい。
Ｔ２  ＝  （Ｖ／Ｖｔｈ）Ｔ１      （式８）
式８で表される第２目標傾斜角Ｔ２は、ゼロから基準速度Ｖｔｈまで車速Ｖに比例して変化する。第２目標傾斜角Ｔ２の絶対値は、第１目標傾斜角Ｔ１の絶対値以下である。この理由は、以下の通りである。低速時には、高速時と比べて、進行方向が頻繁に変更される。従って、低速時には、傾斜角Ｔの絶対値を小さくすることによって、進行方向の頻繁な変更を伴う走行を、安定化できる。なお、第２目標傾斜角Ｔ２と車速Ｖとの関係は、車速Ｖが大きいほど第２目標傾斜角Ｔ２の絶対値が大きくなるような、他の種々の関係であってよい。
【０１２２】
また、低速時（例えば、車速Ｖが基準速度Ｖｔｈ以下である場合）には、車輪角ＡＦは、第１目標車輪角ＡＦｔ１よりも絶対値が大きい第２目標車輪角ＡＦｔ２に制御されてもよい。例えば、第２目標車輪角ＡＦｔ２は、ハンドル角Ａｉが同じ場合には、車速Ｖが小さいほど第２目標車輪角ＡＦｔ２の絶対値が大きくなるように、決定されてよい。この構成によれば、速度Ｖが小さい場合の車両１０の最小回転半径を小さくできる。いずれの場合も、第２目標車輪角ＡＦｔ２は、車速Ｖが同じ場合には、ハンドル角Ａｉの絶対値が大きいほど第２目標車輪角ＡＦｔ２の絶対値が大きくなるように、決定されることが好ましい。
【０１２３】
いずれの場合も、基準速度Ｖｔｈ以下の車速Ｖと、基準速度Ｖｔｈを超える車速Ｖと、の間で車速Ｖが変化する場合に、車輪角ＡＦと傾斜角Ｔとが滑らかに変化するように、操舵モータ６５とリーンモータ２５とが制御されることが好ましい。
【０１２４】
（５）車体９０を幅方向に傾斜させる傾斜機構の構成としては、リンク機構３０（図４）を含む傾斜機構８９の構成に代えて、他の種々の構成を採用可能である。図１４は、車両の別の実施例の概略図である。図１４の車両１０ａは、図４等で説明した車両１０のリンク機構３０をモータ台３０ａに置換して得られる車両である。後輪１２Ｌ、１２Ｒのモータ５１Ｌ、５１Ｒは、それぞれ、モータ台３０ａに固定されている。モータ台３０ａと第１支持部８２とは、軸受３８ａによって、回動可能に連結されている。リーンモータ２５ａは、モータ台３０ａに対して、第１支持部８２を、右方向ＤＲ側と左方向ＤＬ側とのそれぞれに回動させることができる。これにより、車体９０は、右方向ＤＲ側と左方向ＤＬ側とのそれぞれに、傾斜できる。後輪１２Ｌ、１２Ｒは、車体９０が傾斜しているか否かに拘わらずに、地面ＧＬに対して、傾斜せずに、直立する。このように、傾斜機構８９ａとしては、車輪１２Ｌ、１２Ｒのモータ５１Ｌ、５１Ｒが固定された台３０ａと、車体９０を支持する部材８２と、台３０ａと部材８２とを回動可能に連結する軸受３８ａと、台３０ａに対して部材８２を傾斜させるリーンモータ２５ａと、を含む構成を採用してもよい。
【０１２５】
また、一対の車輪１２Ｌ、１２Ｒ（図５（Ｂ））のそれぞれが、車体９０を支持する部材８２に上下方向にスライド可能に取り付けられ、そして、一対の車輪１２Ｌ、１２Ｒの間の回転軸に垂直な方向（すなわち、車体９０の上下方向）の相対位置が、部材８２と車輪１２Ｌとを連結する第１液圧シリンダと、部材８２と車輪１２Ｒとを連結する第２液圧シリンダと、によって変更されてもよい。
【０１２６】
また、傾斜機構は、車両の幅方向に互いに離れて配置された一対のアームと、各アームの一端部を車体に回動可能に連結する一対の軸受と、を含んでよい。各アームは、一端部から、後方向ＤＢ側かつ下方向ＤＤ側に向けて斜めに延びて、他端部に至る。軸受の回動軸は、右方向ＤＲに平行であり、各アームは、軸受に接続された一端部を中心に、上下に回動可能である。一対のアームの他端部は、幅方向に互いに離れて配置された一対の車輪を、それぞれ、回転可能に支持している。そして、各アームは、車体に対して独立に回動することによって、車輪と車体との距離を独立に変化させる。例えば、図５（Ｂ）実施例と同様に、右側の車輪と車体との距離が短くなり、左側の車輪と車体との距離が長くなる場合、車体は、右側に傾斜する。なお、車輪と車体との間の距離は、アームと車体とに接続された駆動装置（例えば、モータ、液圧シリンダとポンプなど）によって、制御されてよい。
【０１２７】
一般的には、地面ＧＬに対して車体９０を傾斜させることが可能な種々の構成を採用可能である。傾斜機構は、例えば、「車両の幅方向に互いに離れて配置された一対の車輪の少なくとも一方に直接的または間接的に接続された第１部材」と、「車体に直接的または間接的に接続された第２部材」と、「第１部材を第２部材に可動に接続する接続装置」と、を含んでよい。接続装置は、例えば、第１部材を第２部材にスライド可能に接続する液圧シリンダであってよい。また、接続装置は、第１部材と第２部材とを回動可能に連結する軸受であってよい。軸受の回動軸の方向は、第１部材に接続された車輪と、車体と、の間の距離を変化させることが可能な任意の方向であってよい。例えば、図４、図１４の軸受３８、３９、３８ａの回動軸のように、回動軸は、前方向ＤＦに平行であってよい。なお、軸受は、転がり軸受であってよく、これに代えて、滑り軸受であってもよい。また、傾斜機構は、第１部材に対する第２部材の位置を変化させる力（例えば、第１部材に対する第２部材の向きを変化させるトルク）を第１部材と第２部材とに作用させる駆動装置を含んでよい。
【０１２８】
図４の実施例では、横リンク部材３１Ｄ、３１Ｕは、リンク部材３３Ｌ、３３Ｒとモータ５１Ｌ、５１Ｒとを介して、間接的に、車輪１２Ｌ、１２Ｒに接続されており、第１部材の例である。中縦リンク部材２１は、第１支持部８２とサスペンションシステム７０とを介して、間接的に、車体９０に接続されており、第２部材の例である。そして、リーンモータ２５は、駆動装置の例である。また、図１４の実施例では、モータ台３０ａは、モータ５１Ｌ、５１Ｒを介して、間接的に、車輪１２Ｌ、１２Ｒに接続されており、第１部材の例である。第１支持部８２は、サスペンションシステム７０を介して、間接的に、車体９０に接続されており、第２部材の例である。図１４の傾斜機構８９ａは、モータ台３０ａと、第１支持部８２と、モータ台３０ａと第１支持部８２とを回動可能に連結する軸受３８ａと、駆動装置であるリーンモータ２５ａと、を含んでいる。
【０１２９】
図４の実施例において、サスペンション７０Ｌ、７０Ｒが、単純なスペーサに置換されてよい。この場合、中縦リンク部材２１は、第１支持部８２とスペーサとを介して、間接的に、車体９０に接続されており、傾斜機構の第２部材の例である。また、第１支持部８２が省略され、軸受３９は、サスペンション７０Ｌ、７０Ｒと上横リンク部材３１Ｕとを、連結してよい。この場合、サスペンション７０Ｌ、７０Ｒは、車体９０に直接的に接続されており、傾斜機構の第２部材の例である。また、図１４の実施例において、モータ台３０ａが省略され、軸受３８ａは、第１支持部８２とモータ５１Ｌ、５１Ｒとを、連結してよい。この場合、モータ５１Ｌ、５１Ｒは、車輪１２Ｌ、１２Ｒに直接的に接続されており、傾斜機構の第１部材の例である。
【０１３０】
また、傾斜機構の駆動装置は、電気モータに代えて他の種類の駆動装置であってもよい。例えば、傾斜機構は、ポンプからの液圧（例えば、油圧）によって駆動されてもよい。図１４の実施例において、リーンモータ２５ａが省略され、台３０ａに対する部材８２の向きが、台３０ａと部材８２とを接続する液圧シリンダによって変更されてもよい。
【０１３１】
（６）操作入力部（例えば、ハンドル４１ａ）へ入力される操作量を用いて傾斜機構を制御する傾斜制御部は、図９で説明した主制御部１００とリーンモータ制御部１０２とのように、コンピュータを含む電気回路であってよい。代わりに、コンピュータを含まない電気回路（例えば、ASIC（Application Specific Integrated Circuit））が、操作入力部へ入力される操作量に応じて、傾斜角Ｔが目標の傾斜角になるように、傾斜機構を制御してもよい。このように、傾斜制御部は、傾斜機構の駆動装置を制御する電気回路を含んでよい。
【０１３２】
（７）操作することで旋回方向と旋回の程度とを示す操作量が入力される操作入力部は、ハンドル４１ａ（図１）のように左と右とに回動可能な部材に代えて、種々の装置であってよい。例えば、操作入力部は、予め決められた基準方向（例えば、直立方向）から左と右とに傾斜可能なレバーであってよい。レバーの傾斜方向（右と左とのいずれか）は、旋回方向を示し、基準方向からのレバーの傾斜の角度は、旋回の程度を示している。操作入力部は、このようなハンドル４１ａとレバーのように、機械的な動き（例えば、回動と傾斜とのいずれか）によって操作量を受け付ける種々の装置であってよい。これに代えて、操作入力部は、電気的に操作量を受け付ける装置であってもよい。例えば、タッチパネルに、操作量が、入力されてもよい。
【０１３３】
（８）左右に回動可能な車輪である回動輪を支持する回動輪支持部の構成は、図１、図９の回動輪支持部１８０の構成に代えて、他の種々の構成であってよい。一般的には、回動輪支持部は、１以上の回動輪を回転可能に支持する支持部材と、車体に対して支持部材を左右に回動可能に支持する回動装置と、支持部材を左右に回動させるトルクを支持部材に印加する回動駆動装置と、操作量と車速とを用いて回動駆動装置のトルクを制御する回動制御部と、を含んでよい。このような回動輪支持部を採用する場合、車体が傾斜する場合に、支持部材も車体と共に傾斜する。従って、回動輪の方向（すなわち、車輪角）は、車体の傾斜に追随して変化できる。また、回動駆動装置は、支持部材にトルクを印加することにより、１以上の回動輪を支持する支持部材の方向、すなわち、１以上の回動輪の方向を、制御できる。
【０１３４】
ここで、支持部材は、前フォーク１７（図１）に代えて、他の構成の部材であってよい（例えば、片持ちの部材）。また、回動装置は、軸受６８（図１）のように、支持部材を前方向ＤＦに対して左右に回動可能に車体に接続する軸受を含んでよい。このような軸受は、車体と支持部材とを接続するとともに、支持部材を車両の前方向ＤＦに対して左右に回動可能に支持する。なお、軸受は、転がり軸受であってよく、これに代えて、滑り軸受であってもよい。いずれの場合も、回動装置は、車体に直接的に接続されてよく、また、他の部材を介して間接的に、車体に接続されてよい。ここで、回動装置は、車体が傾斜する場合に支持部材も車体と共に傾斜するように、支持部材と車体とを接続していることが好ましい。また、回動駆動装置は、操舵モータ６５（図１）のような電気モータに代えて他の種類の駆動装置であってもよい。例えば、回動駆動装置は、ポンプを含み、ポンプからの液圧（例えば、油圧）が、支持部材にトルクを印加してよい。また、回動制御部は、回動制御部１７０（図９）のようにコンピュータを含む電気回路であってよい。代わりに、コンピュータを含まない電気回路（例えば、ASIC、アナログ電気回路など）が、回動駆動装置を制御してもよい。このように、回動制御部は、回動駆動装置を制御する電気回路を含んでよい。また、回動駆動装置（例えば、操舵モータ６５）のトルクを制御するために用いられる制御値（例えば、制御値Ｖｃ、比例項Ｖｐ、微分項Ｖｄなど）は、上記実施例の制御値Ｖｃのようにデジタル情報によって示されてよく、これに代えて、電圧値、電流値、抵抗値などの種々のアナログ情報によって示されてよい。
【０１３５】
なお、１つの支持部材は、複数の回動輪を、回転可能に支持してよい。また、車両が複数の回動輪を備える場合、車両は、複数の支持部材を備えてよい。そして、複数の支持部材のそれぞれが、１以上の回動輪を回転可能に支持してよい。複数の支持部材のうちの１以上の支持部材のそれぞれが、複数の車輪を支持してよい。また、車両に設けられている支持部材の総数は、回動輪の総数に拘わらずに、１つであってよい。例えば、回動輪の総数がＭ個（Ｍは２以上の整数）である場合、１つの支持部材が、Ｍ個の回動輪のそれぞれを回転可能に支持してよい。また、支持部材の総数は、回動輪の総数と同じであってもよい。例えば、Ｍ個の支持部材が、それぞれ、Ｍ個の回動輪を回転可能に支持してよい。また、回動装置は、各支持部材に１つずつ、設けられていてよい。
【０１３６】
いずれの場合も、図１で説明したトレールＬｔは、正値であることが好ましい。トレールＬｔが正値である場合、回動輪の車輪角は、容易に、車体９０の傾斜の変化に追随して変化する。ただし、トレールＬｔは、ゼロであってもよい。また、キャスター角ＣＡは、ゼロであってもよく、ゼロとは異なっていてもよい（キャスター角ＣＡがゼロ以上であることが好ましい）。
【０１３７】
（９）操作入力部と支持部材とに接続されている接続部の構成は、図１の接続部５０の構成に代えて、他の種々の構成であってよい。接続部の構成は、操作入力部と支持部材とに機械的に接続され、操作入力部の操作による操作入力部の機械的な動きに応じて操作入力部から支持部材へトルクを伝達し、操作入力部に入力される操作量に拘わらず車体の傾斜の変化に追随して１以上の回動輪の方向が変化することを許容する種々の構成であってよい。
【０１３８】
例えば、接続部５０（図１）の第１部分５１は、ハンドル４１ａに直接的に固定されてよい。すなわち、接続部５０は、ハンドル４１ａに、直接的に接続されてもよい。また、接続部５０の第２部分５２は、他の部材を介して、前フォーク１７に接続されてよい。すなわち、接続部５０は、他の部材を介して間接的に、前フォーク１７に接続されてよい。また、接続部５０の第３部分５３は、弾性変形可能な他の種類の部材であってよい。第３部分５３は、例えば、トーションバネ、ゴム等の種々の弾性体であってよい。また、第３部分５３は、弾性体に限らず、他の種類の装置であってよい。例えば、第３部分５３は、ダンパであってよい。また、第３部分５３は、流体クラッチ、流体トルクコンバータなどの、流体を介してトルクを伝達する装置であってよい。このように、接続部５０の第３部分５３は、弾性体とダンパと流体クラッチと流体トルクコンバータとのうちの少なくとも１つを含んでよい。
【０１３９】
第３部分５３は、第１部分５１と第２部分５２とに接続され、第１部分５１から第２部分５２へトルクを伝達し、そして、第１部分５１と第２部分５２との間の相対位置の変化を許容する可動部分を含む、種々の装置であってよい。このような第３部分５３は、第１部分５１が動いていない状態で第２部分５２が動くことを許容する、すなわち、ハンドル角Ａｉが変化していない状態で車輪角ＡＦが変化することを許容する。この結果、前輪１２Ｆの車輪角ＡＦは、車体９０の傾斜に追随して容易に変化できる。いずれの場合も、接続部５０は、前輪支持装置４１が第２モードで動作している場合に、ハンドル４１ａに入力されるハンドル角Ａｉに拘わらず、前輪１２Ｆの車輪角ＡＦが車体９０の傾斜の変化に追随して変化することを許容する程度に緩い接続を実現していることが好ましい。ただし、そのような接続部５０が省略されてもよい
【０１４０】
（１０）道路が傾斜する場合には、リーン角センサ１２５からの信号を用いて特定される傾斜角Ｔ（ここでは、上横リンク部材３１Ｕに対する中縦リンク部材２１の向きの角度）は、鉛直上方向ＤＵに対する車体９０の車両上方向ＤＶＵの傾斜角から、ずれ得る。そこで、傾斜角Ｔに代えて、道路の傾斜に依存せずに特定される鉛直上方向ＤＵ（図５（Ｂ））に対する車体９０の上方向（例えば、車両上方向ＤＶＵ）の傾斜角が利用されてよい（実傾斜角とも呼ぶ）。例えば、車両１０、１０ａは、鉛直上方向ＤＵを特定する鉛直方向検出装置を備えてよい。主制御部１００は、鉛直方向検出装置によって特定された鉛直上方向ＤＵを用いて、実傾斜角を特定してよい。鉛直方向検出装置の構成は、種々の構成であってよい。例えば、鉛直方向検出装置は、加速度センサと、ジャイロセンサと、信号処理部と、を含んでよい。加速度センサは、任意の方向の加速度を検出するセンサであり、例えば、３軸の加速度センサである。ジャイロセンサは、任意の方向の回転軸を中心とする角加速度を検出するセンサであり、例えば、３軸の角加速度センサである。加速度センサとジャイロセンサは、車両１０、１０ａの種々の部材に固定されてよい。以下、加速度センサとジャイロセンサとが、車両１０、１０ａの複数の部材のうちの共通の部材（センサ固定部材と呼ぶ）に固定されていることとする。
【０１４１】
加速度センサは、加速度の方向を検出する。以下、加速度センサによって検出される加速度の方向を、検出方向と呼ぶ。車両１０、１０ａが停止している状態では、検出方向は、鉛直上方向ＤＵの反対の鉛直下方向ＤＤと同じである。すなわち、検出方向の反対の方向が、鉛直上方向ＤＵである。
【０１４２】
車両１０、１０ａの走行時には、検出方向は、車両１０、１０ａの動きに応じて、鉛直下方向ＤＤからずれ得る。例えば、車両１０、１０ａが前進中に加速する場合、検出方向は、鉛直下方向ＤＤに対して後方向ＤＢ側に傾斜する方向に、ずれる。車両１０、１０ａが前進中に減速する場合、検出方向は、鉛直下方向ＤＤに対して前方向ＤＦ側に傾斜する方向に、ずれる。車両１０、１０ａが前進中に左方向に旋回する場合、検出方向は、鉛直下方向ＤＤに対して右方向ＤＲ側に傾斜する方向に、ずれる。車両１０、１０ａが前進中に右方向に旋回する場合、検出方向は、鉛直下方向ＤＤに対して左方向ＤＬ側に傾斜する方向に、ずれる。
【０１４３】
鉛直方向検出装置の信号処理部は、車速センサ１２２によって特定される車速Ｖを用いることによって、車両１０、１０ａの加速度を算出する。そして、信号処理部は、加速度を用いることによって、車両１０、１０ａの加速度に起因する鉛直下方向ＤＤに対する検出方向のずれを特定する（例えば、検出方向の前方向ＤＦまたは後方向ＤＢのずれが特定される）。また、信号処理部は、ジャイロセンサによって特定される角加速度を用いることによって、車両１０、１０ａの角加速度に起因する鉛直下方向ＤＤに対する検出方向のずれを特定する（例えば、検出方向の右方向ＤＲまたは左方向ＤＬのずれが、特定される）。以上により、信号処理部は、鉛直下方向ＤＤに対する検出方向のずれを特定する。そして、信号処理部は、検出方向を、特定されたずれを用いて修正することによって、鉛直下方向ＤＤ、ひいては、鉛直上方向ＤＵを特定する。そして、信号処理部は、特定した鉛直上方向ＤＵを示す情報を、出力する。
【０１４４】
特定される鉛直上方向ＤＵは、センサ固定部材に対する鉛直上方向ＤＵを示している。主制御部１００は、鉛直方向検出装置によって検出された鉛直上方向ＤＵと、センサ固定部材と車体９０との間の位置関係と、を用いて、鉛直上方向ＤＵと車体９０の車両上方向ＤＶＵとの間の角度、すなわち、実傾斜角を、算出する。主制御部１００（ひいては、傾斜制御部１９０）は、算出された実傾斜角を用いて、リーンモータ２５を制御する。例えば、傾斜制御部１９０は、目標傾斜角に代えて目標実傾斜角を算出し、実傾斜角が目標実傾斜角に近づくようにリーンモータ２５を制御する。この構成によれば、道路が左右に傾斜している場合であっても、傾斜制御部１９０は、実傾斜角を、適切に、制御できる。また、主制御部１００（ひいては、回動制御部１７０）は、算出された実傾斜角を用いて、操舵モータ６５を制御してよい。これにより、車輪角ＡＦは、適切に制御される。
【０１４５】
なお、鉛直方向検出装置の信号処理部は、ジャイロセンサと加速度センサとからの情報に加えて、車両１０、１０ａの動きに関連する他の情報を用いて、鉛直上方向ＤＵを検出してよい。他の情報としては、例えば、ＧＰＳ（Global Positioning System）を用いて特定される車両１０、１０ａの位置が、用いられてよい。信号処理部は、例えば、鉛直上方向ＤＵを、ＧＰＳによる位置を用いて、補正してもよい。なお、ＧＰＳによる位置に基づく補正量は、予め実験的に決定されてよい。
【０１４６】
鉛直方向検出装置の信号処理部は、種々の電気回路であってよく、例えば、コンピュータを含む電気回路であってよく、コンピュータを含まない電気回路（例えば、ASIC）であってもよい。ジャイロセンサは、角加速度に代えて、角速度を検出するセンサであってよい。
【０１４７】
（１１）車両の構成としては、上述の構成に代えて、他の種々の構成を採用可能である。例えば、トレールＬｔ（図１）が、ゼロ、または、ゼロ未満であってもよい。この場合も、図８で説明したように、回転する前輪１２Ｆの角運動量を利用して、前輪１２Ｆの方向（すなわち、車輪角ＡＦ）は、車体９０の傾斜に追随して変化できる。また、図４、図１４の実施例において、モータ５１Ｌ、５１Ｒは、サスペンションを介して、装置３０、３０ａに接続されてもよい。主制御部１００（図９）の機能のうちのリーンモータ２５を制御するための機能の少なくとも一部が、リーンモータ制御部１０２によって実現されてもよい。主制御部１００の機能のうちの操舵モータ６５を制御するための機能の少なくとも一部が、操舵モータ制御部１０３によって実現されてもよい。制御装置１１０が、１つの制御部によって構成されてもよい。また、制御装置１１０（図９）のようなコンピュータが省略されてもよい。例えば、コンピュータを含まない電気回路（例えば、ASIC）が、センサ１２２、１２３、１２４、１２５、１４５、１４６とスイッチ４７とからの信号に応じて、モータ５１Ｒ、５１Ｌ、２５、６５を制御してもよい。また、電気回路に代えて、油圧やモータの駆動力を利用して動作する機械が、モータ５１Ｒ、５１Ｌ、２５、６５を制御してもよい。また、入力値と出力値との対応関係（例えば、車速ＶとＰゲインＫｐとの対応関係）を特定する方法は、マップデータ（例えば、マップデータＭＴ、ＭＡＦ、Ｍｐ、Ｍｄ）を用いる方法に代えて、入力値を引数として用いて出力値を算出する関数を用いる方法などの他の種々の方法であってよい。また、車両の制御に用いられる対応関係（例えば、マップデータＭＴ、ＭＡＦ、Ｍｐ、Ｍｄによって示される対応関係）は、車両１０、１０ａが適切に走行できるように、実験的に決定されてよい。また、車両の制御装置は、車両の制御に用いられる対応関係を、車両の状態に応じて、動的に変更してよい。例えば、車両は、車体の重量を測定する重量センサをー備え、制御装置は、車体の重量に応じて対応関係を調整してよい。
【０１４８】
また、複数の車輪の総数と配置としては、種々の構成を採用可能である。例えば、前輪の総数が２であり、後輪の総数が１であってもよい。また、前輪の総数が２であり、後輪の総数が２であってもよい。また、幅方向に互いに離れて配置された一対の車輪が、前輪であってもよく、また、回動輪であってもよい。また、後輪が回動輪であってもよい。また、駆動輪が前輪であってもよい。いずれの場合も、車両は、車両の幅方向に互いに離れて配置された一対の車輪と、１個以上の他の車輪と、を含むＮ個（Ｎは３以上の整数）の車輪を備えることが好ましい。そして、車両のＮ個の車輪は、１個以上の前輪と、前輪よりも後方向ＤＢ側に配置された１個以上の後輪と、を含むことが好ましい。この構成によれば、車両の停止時に車両が自立できる。ここで、一対の車輪と他の車輪との少なくとも一方が、車両の前進方向に対して左右に回動可能な１以上の回動輪として構成されていることが好ましい。すなわち、一対の車輪のみが回動輪であってよく、他の車輪のみが回動輪であってよく、一対の車輪と他の車輪とを含む３以上の車輪が回動輪であってよい。ここで、１以上の回動輪に含まれる他の車輪の総数は、任意の数であってよい。また、駆動輪を駆動する駆動装置は、電気モータに代えて、車輪を回転させる任意の装置であってよい（例えば、内燃機関）。また、駆動装置を省略してもよい。すなわち、車両は、人力の車両であってもよい。この場合、傾斜機構は、操作入力部の操作に応じて動作する人力の傾斜機構であってよい。また、車両の最大定員数は、１人に代えて、２人以上であってもよい。
【０１４９】
（１２）  上記各実施例において、ハードウェアによって実現されていた構成の一部をソフトウェアに置き換えるようにしてもよく、逆に、ソフトウェアによって実現されていた構成の一部あるいは全部をハードウェアに置き換えるようにしてもよい。例えば、図９の制御装置１１０の機能を、専用のハードウェア回路によって実現してもよい。
【０１５０】
また、本発明の機能の一部または全部がコンピュータプログラムで実現される場合には、そのプログラムは、コンピュータ読み取り可能な記録媒体（例えば、一時的ではない記録媒体）に格納された形で提供することができる。プログラムは、提供時と同一または異なる記録媒体（コンピュータ読み取り可能な記録媒体）に格納された状態で、使用され得る。「コンピュータ読み取り可能な記録媒体」は、メモリーカードやＣＤ−ＲＯＭのような携帯型の記録媒体に限らず、各種ＲＯＭ等のコンピュータ内の内部記憶装置や、ハードディスクドライブ等のコンピュータに接続されている外部記憶装置も含み得る。
【０１５１】
以上、実施例、変形例に基づき本発明について説明してきたが、上記した発明の実施の形態は、本発明の理解を容易にするためのものであり、本発明を限定するものではない。本発明は、その趣旨並びに特許請求の範囲を逸脱することなく、変更、改良され得ると共に、本発明にはその等価物が含まれる。
【符号の説明】
【０１５２】
１０、１０ａ…車両、１１…座席、１２Ｆ…前輪、１２Ｌ…左後輪（駆動輪）、１２Ｒ…右後輪（駆動輪）、１２Ｆｃ…重心、１２Ｌｂ、１２Ｒｂ…タイヤ、１２Ｌａ、１２Ｒａ…ホイール、１７…前フォーク、２０…本体部、２０ａ…前部、２０ｂ…底部、２０ｃ…後部、２０ｄ…支持部、２１…中縦リンク部材、２５、２５ａ…リーンモータ、３０…リンク機構、３０ａ…モータ台、３１Ｄ…下横リンク部材、３１Ｕ…上横リンク部材、３３Ｌ…左縦リンク部材、３３Ｒ…右縦リンク部材、３８、３８ａ、３９…軸受、４１…前輪支持装置、４１ａ…ハンドル、４１ａｘ…支持棒、４５…アクセルペダル、４６…ブレーキペダル、４７…シフトスイッチ、５０…接続部、５１…第１部分、５２…第２部分、５３…第３部分、５１Ｌ…左電気モータ、５１Ｒ…右電気モータ、６５…操舵モータ、６６…ロータ、６７…ステータ、６８…軸受、７０…サスペンションシステム、７０Ｌ…左サスペンション、７０Ｒ…右サスペンション、７０Ｌａ、７０Ｒａ…中心軸、７１Ｌ…コイルスプリング、７１Ｒ…コイルスプリング、７２Ｌ…ショックアブソーバ、７２Ｒ…ショックアブソーバ、７５…連結部、８０…後輪支持部、８２…第１支持部、８３…第２支持部、８９、８９ａ…傾斜機構、９０…車体、９０ｃ…重心、１００ｐ、１０１ｐ、１０２ｐ、１０３ｐ…プロセッサ、１００ｖ、１０１ｖ、１０２ｖ、１０３ｖ…揮発性記憶装置、１００ｎ、１０１ｎ、１０２ｎ、１０３ｎ…不揮発性記憶装置、１０１ｃ、１０２ｃ…電気回路、１０３ｃ…電力制御部（電気回路）、１１０…制御装置、１００…主制御部、１０１…駆動装置制御部、１０２…リーンモータ制御部、１０３…操舵モータ制御部、１２０…バッテリ、１２２…車速センサ、１２３…ハンドル角センサ、１２４…車輪角センサ、１２５…リーン角センサ、１４５…アクセルペダルセンサ、１４６…ブレーキペダルセンサ、１７０…回動制御部、１８０…回動輪支持部、１９０…傾斜制御部、３１０…第１加算点、３１５…Ｐゲイン制御部、３２０…Ｐ制御部、３３５…Ｄゲイン制御部、３４０…Ｄ制御部、３５０…第２加算点、Ｔ…傾斜角、Ｖ…速度、Ｒ…旋回半径、ｍ…質量、Ｖ…車速、Ｖｔｈ…基準速度、ＡＦｔ１…第１目標車輪角、ＡＦｔ２…第２目標車輪角、Ｆ１…第１力、Ｔ１…第１目標傾斜角、Ｐ１…接触中心、Ｆ２…第２力、Ｔ２…第２目標傾斜角、Ｐ２…交点、ＣＡ…キャスター角、ＲＦ…回動方向、ＡＦ…車輪角、ＤＵ…上方向（鉛直上方向）、ＤＤ…下方向、ＤＬ…左方向、ＤＲ…右方向、ＤＦ…前方向、ＤＢ…後方向、ＧＬ…地面、ＭＴ…マップデータ、Ｔａ…傾斜角Ｔの絶対値、ＭＡＦ…マップデータ、Ｖｐ…比例項、Ｖｄ…微分項、Ｖｃ…制御値、Ｃｆ…前中心、Ｃｂ…後中心、Ｌｈ…ホイールベース、Ａｉ…ハンドル角、Ｖｍ…最高速度、Ｃｒ…旋回中心、Ｌｔ…トレール、Ｄ１２…進行方向、ｄＡＦ…差、Ｃａ１…接触領域、Ｆ１ｂ…力、Ｆ２ｂ…力、Ｔｑ１…トルク、Ａｘ１…回動軸、ＤＶＵ…車両上方向、Ａｘ２…回転軸、Ａｘ３…前軸、ＣａＬ…接触領域、ＰｂＬ…接触中心、ＣａＲ…接触領域、ＰｂＲ…接触中心、ＴＱｍ…トルク、ＡｒＬ…回転軸、ＡｘＬ…傾斜軸、ＡｒＲ…回転軸、ＡｘＲ…ロール軸、Ｋｄｍ…ゲイン、Ｖｔｈ…基準速度（第１基準速度）、Ｋｐｍ…ゲイン
【図１】
2019081475.tif 000003
【図２】
2019081475.tif 000004
【図３】
2019081475.tif 000005
【図４】
2019081475.tif 000006
【図５】
2019081475.tif 000007
【図６】
2019081475.tif 000008
【図７】
2019081475.tif 000009
【図８】
2019081475.tif 000010
【図９】
2019081475.tif 000011
【図１０】
2019081475.tif 000012
【図１１】
2019081475.tif 000013
【図１２】
2019081475.tif 000014
【図１３】
2019081475.tif 000015
【図１４】
2019081475.tif 000016